(57)【要約】【課題】  データ圧縮された動画像データを用いた演出表示のための制御負担を軽減する。【解決手段】  複数回の特図ゲームにわたり連続した予告演出を行うときに、表示制御基板のＣＰＵが連続予告の実行回数や連続予告カウンタのカウント値に基づき、動画像表示手順決定テーブル１７０を用いて今回の特図ゲームで使用する動画像表示制御プロセステーブルを選択決定する。表示制御基板のＣＰＵは、動画像表示制御プロセステーブルでの設定に応じた表示制御指令をＧＣＬに対して送出することにより、連続予告が実行される特図ゲームの実行回数に応じて、動画再生による動画像の再生期間を決定する。【選択図】  図２３
2010227701.tif 000002
【特許請求の範囲】
【請求項１】
可変表示の実行条件が成立した後に可変表示の開始条件が成立したことに基づいて、各々が識別可能な複数種類の識別情報を可変表示する可変表示装置を備え、識別情報の表示結果が特定表示結果となったときに遊技者にとって有利な特定遊技状態とする遊技機であって、
動き補償予測符号化による圧縮データを含む動画像データを格納する圧縮データ格納手段と、
前記圧縮データ格納手段に格納されている動画像データを伸長するデータ伸長手段と、
前記データ伸長手段により伸長された動画像データに基づいて生成される画像を前記可変表示装置に順次表示させることによって動画再生を行うデータ再生手段と、
識別情報の可変表示を実行しているときに、前記データ再生手段が行う動画再生による動画像を用いた演出表示を前記可変表示装置に行わせる演出表示制御手段と、
所定の数値データを更新する数値データ更新手段と、
可変表示の実行条件の成立に応じて前記数値データ更新手段が更新する数値データを抽出する数値データ抽出手段と、
前記数値データ抽出手段が抽出した数値データを、抽出順番を特定可能に記憶する保留記憶手段と、
前記保留記憶手段に記憶された数値データが所定の判定値データと合致するか否かに応じて表示結果として特定表示結果を表示するか否かを判定する事前判定手段と、
前記事前判定手段により前記保留記憶手段に記憶された数値データが前記所定の判定値データと合致し、特定表示結果を表示することが判定されたときに、複数回の識別情報の可変表示にわたる連続予告を実行するか否かを判定する連続予告判定手段と、
前記連続予告判定手段によって連続予告を実行する旨の判定がなされたときに、複数回の識別情報の可変表示にわたり前記演出表示制御手段により連続した動画像を用いた演出表示を実行させる連続演出手段、とを備え、
前記連続演出手段は、動画像を用いた演出表示を連続して行わせる識別情報の可変表示回数を決定する連続回数決定手段を含む、
ことを特徴とする遊技機。
【発明の詳細な説明】
【技術分野】
【０００１】
本発明は、パチンコ遊技機等の遊技機に係り、詳しくは、可変表示の実行条件が成立した後に可変表示の開始条件が成立したことに基づいて、各々が識別可能な複数種類の識別情報を可変表示する可変表示装置を備え、識別情報の表示結果が特定表示結果となったときに遊技者にとって有利な特定遊技状態とする遊技機に関する。
【背景技術】
【０００２】
パチンコ遊技機等の遊技機においては、液晶表示装置（以下ＬＣＤ：Liquid Crystal Display）等の表示装置上に所定の識別情報（以下、表示図柄）を更新表示させることで可変表示を行い、その表示結果により所定の遊技価値を付与するか否かを決定する、いわゆる可変表示ゲームによって遊技興趣を高めたものが数多く提供されている。
【０００３】
可変表示ゲームには、主に、前述した表示装置を画像表示装置として用いることにより行うもの（以下、特図ゲーム）がある。特図ゲームは、所定領域を通過する遊技球の検出に伴って表示図柄の更新表示を行い、表示図柄の更新表示が完全に停止した際の停止図柄態様が特定表示態様となっている場合を「大当り」とするゲームである。特図ゲームにおいて「大当り」となると、大入賞口またはアタッカと呼ばれる特別電動役物を開放状態とし、遊技者に対して遊技球の入賞が極めて容易となる状態を一定時間継続的に提供する。
【０００４】
ここで、特図ゲームにおいて大当りとなり、特別電動役物が開放状態となることにより、遊技者に対して遊技球の入賞がきわめて容易となる状態となることを特定遊技状態という。特定遊技状態となるためには、通常、表示図柄の停止図柄態様が予め定められた特定表示態様となること（一般的には表示図柄が同一図柄で揃うこと）が条件となる。
【０００５】
このように、遊技者にとって特図ゲームは、停止図柄態様が特定表示態様となって「大当り」となるか否かに最大の関心が払われることになる。このため、「大当り」となるか否かを判別することのできる停止図柄態様の確定までの間は、遊技興趣を高めるために様々な演出表示が行われることがある。
【０００６】
このような演出表示として、表示装置に動画像を表示することが考えられる。動画像を表示する技術としては、圧縮画像データを所定の画像データ伸長アルゴリズムにより伸長させ動画像を表示するものが提案されている（例えば、特許文献１）。
【先行技術文献】
【特許文献】
【０００７】
【特許文献１】特開２００２−３１２８０７号公報
【発明の概要】
【発明が解決しようとする課題】
【０００８】
特許文献１に開示された技術によると、演出表示として圧縮画像データを使用した動画像の表示を行うことができるが、圧縮画像データの使用頻度が多いときには、データ圧縮された動画像データの伸長処理や再生処理などのための制御負担が大きくなってしまうという問題がある。
【０００９】
また、動画像による演出表示を行う場合、複数種類の演出表示のいずれが行われたかに応じて表示図柄の停止図柄態様が特定表示態様となる確率を異ならせることで、遊技者の期待度を向上させることが考えられる。しかしながら、各々の演出表示に合わせて別々の動画像を表示すると、膨大なデータ量の動画像データが必要となる。従って、複数種類の演出表示を行うためには、データ圧縮されてはいるが、多大なデータ量の動画像データを必要とするので、動画像データの総データ量が増大することになってしまい、動画像データを格納する記憶領域の必要容量が増大してしまうという問題があった。また、多大なデータ量の動画像データを必要とするので、データ圧縮された動画像データの伸長処理や再生処理などのための制御負担が増大するという問題もある。
【００１０】
本発明は、上記実状に鑑みてなされたものであり、データ圧縮された動画像データを用いた演出表示のための制御負担を軽減することができる遊技機を提供することを目的とする。
【課題を解決するための手段】
【００１１】
上記目的を達成するため、本願の請求項１に記載の遊技機は、可変表示の実行条件（例えば普通可変入賞球装置６への入賞）が成立した後に可変表示の開始条件（例えば可変表示装置４における前回の可変表示及び大当り遊技状態の終了）が成立したことに基づいて、各々が識別可能な複数種類の識別情報を可変表示する可変表示装置（例えば可変表示装置４）を備え、識別情報の表示結果が特定表示結果となったときに遊技者にとって有利な特定遊技状態（例えば大当り遊技状態）とする遊技機であって、動き補償予測符号化による圧縮データを含む動画像データを格納する圧縮データ格納手段（例えばＣＧＲＯＭ１１６の動画像データ格納領域１１６ｂ）と、前記圧縮データ格納手段に格納されている動画像データを伸長するデータ伸長手段（例えばＧＣＬ１１５のデータ伸長部１６０）と、前記データ伸長手段により伸長された動画像データに基づいて生成される画像を前記可変表示装置に順次表示させることによって動画再生を行うデータ再生手段（例えばＧＣＬ１１５のデータ再生部１６１）と、識別情報の可変表示を実行しているときに、前記データ再生手段が行う動画再生による動画像を用いた演出表示を前記可変表示装置に行わせる演出表示制御手段（例えばＣＰＵ１１２やＧＣＬ１１５など）と、所定の数値データを更新する数値データ更新手段（例えばＣＰＵ１０３がステップＳ２３の処理を実行する部分など）と、可変表示の実行条件の成立に応じて前記数値データ更新手段が更新する数値データを抽出する数値データ抽出手段（例えばＣＰＵ１０３がステップＳ１０１の入賞処理を実行する部分など）と、前記数値データ抽出手段が抽出した数値データを、抽出順番を特定可能に記憶する保留記憶手段（例えば特図保留メモリ１２０）と、前記保留記憶手段に記憶された数値データが所定の判定値データ（例えば通常時大当り判定テーブル１４０、確変時大当り判定テーブル１４１にて「大当り」の表示結果と対応付けられているランダムＲ１の値を示すデータ）と合致するか否かに応じて表示結果として特定表示結果を表示するか否かを判定する事前判定手段（例えばＣＰＵ１０３がステップＳ３０３の大当り判定処理を実行する部分）と、前記事前判定手段により前記保留記憶手段に記憶された数値データが前記所定の判定値データと合致し、特定表示結果を表示することが判定されたときに、複数回の識別情報の可変表示にわたる連続予告を実行するか否かを判定する連続予告判定手段（例えばＣＰＵ１０３がステップＳ３１４の処理を実行する部分など）と、前記連続予告判定手段によって連続予告を実行する旨の判定がなされたときに、複数回の識別情報の可変表示にわたり前記演出表示制御手段により連続した動画像を用いた演出表示を実行させる連続演出手段（例えばＣＰＵ１０３がステップＳ１１０の特別図柄通常処理、ステップＳ１１１の確定図柄設定処理及びステップＳ１１２の可変表示パターン設定処理を実行する部分など）、とを備え、前記連続演出手段は、動画像を用いた演出表示を連続して行わせる識別情報の可変表示回数を決定する連続回数決定手段（例えばＣＰＵ１０３がステップＳ３０９、ステップＳ３１１の処理を実行する部分）を含み、前記演出表示制御手段は、前記連続回数決定手段により決定された識別情報の可変表示回数に応じて、前記データ再生手段が行う動画再生による動画像の再生期間を決定する再生期間決定手段（例えばＣＰＵ１１２がステップＳ４２２の処理を実行する部分）を含む。
【００１２】
請求項１に記載の構成によれば、再生期間決定手段が、連続回数決定手段により連続した動画像を用いた演出表示を行うことが決定された識別情報の可変表示回数に応じて、データ再生手段が行う動画再生による動画像の再生期間を決定するので、連続した動画像を用いた演出表示が行われる可変表示の実行回数が異なる場合でも、同一の動画像データを用いて動画像による演出表示を行うことができる。これにより、動画像データのデータ量を増大させることなく多様な演出表示を可能として動画像データの格納に必要な記憶容量を抑えることができ、データ圧縮された動画像データを用いた演出表示のための制御負担を軽減することができる。
【００１３】
請求項２に記載の遊技機においては、前記連続予告判定手段は、前記事前判定手段の判定結果と判定回数に基づき、前記連続回数決定手段により決定される識別情報の可変表示回数が多くなるに従って識別情報の表示結果が特定表示結果となる確率が高くなるように、決定用データが連続予告を実行するか否かの判定結果に対して割り振られている連続予告決定用テーブル（例えばハズレ時連続予告判定テーブル１４２及び大当り時連続予告判定テーブル１４３）を用いて、複数回の識別情報の可変表示にわたる連続予告を実行するか否かを判定する。この構成によれば、識別情報の表示結果が特定表示結果となる確率は、動画像を用いた演出表示が長く継続するに従って高まってゆくので、遊技者の期待感を高めることができ、遊技の興趣性が向上する。
【００１４】
請求項３に記載の遊技機においては、文字列の画像を表示させるパターンとして複数種類の文字列画像表示パターンを示すデータを格納する文字列画像表示パターン格納手段（例えば台詞表示制御プロセステーブルメモリ１３１ｂ）と、前記文字列画像表示パターン格納手段から読み出した文字列画像表示パターンを示すデータを用いて前記可変表示装置に表示させる文字列画像を生成する文字列画像生成手段（例えばＧＣＬ１１５の画像データ処理部１６３など）、とをさらに備え、前記演出表示制御手段は、識別情報の可変表示を実行しているときに、前記データ再生手段が行う動画再生による動画像と前記文字列画像生成手段により生成された文字列画像とを組み合わせた演出表示を前記可変表示装置に行わせる文字列表示制御手段（例えばＣＰＵ１１２がステップＳ４４２の台詞画像表示制御処理を実行する部分）と、前記文字列表示制御手段が前記可変表示装置に表示させる文字列画像の種類に応じて特定表示結果となる確率を異ならせるように、決定用データが前記文字列画像表示パターン格納手段に格納された各文字列画像表示パターンを示すデータに割り振られた文字列決定用テーブル（例えば連続予告中台詞決定テーブル１７１、ハズレ最終予告時台詞決定テーブル１７２、大当り最終予告時台詞決定テーブル１７３）を用いて、前記文字列画像生成手段が文字列画像の生成に用いる文字列画像表示パターンを示すデータを選択決定するパターン決定手段（例えばＣＰＵ１１２がステップＳ４２３の台詞表示手順決定処理を実行する部分）、とを含む。この構成によれば、同一の動画像データを用いた動画再生が行われるときでも、可変表示装置に表示される文字列画像の種類に応じて特定表示結果となる確率を異ならせることができるので、動画像データのデータ量を増大させることなく多様な演出表示が可能となる。これにより、動画像データの格納に必要な記憶容量を抑えることができ、データ圧縮された動画像データを用いた演出表示のための制御負担を軽減することができる。
【００１５】
請求項４に記載の遊技機においては、前記文字列決定用テーブルは、前記文字列画像生成手段によって生成される文字列画像の表示態様（例えば図６５（Ａ）〜（Ｄ）、図６６（Ａ）〜（Ｄ）、図６７（Ａ）〜（Ｄ）、図６８（Ａ）〜（Ｄ）において台詞表示エリア４２に表示される文字列画像の表示態様）に応じて特定表示結果となる確率が異なるように、決定用データが各文字列画像表示パターンを示すデータに割り振られている（例えばハズレ最終予告時台詞決定テーブル１７２と大当り最終予告時台詞決定テーブル１７３とでは、台詞Ｂ−３〜台詞Ｂ−６、台詞Ｃ−２〜台詞Ｃ−５、台詞Ｄ−１〜台詞Ｄ−４の各表示制御プロセステーブルに対するランダムＲ１０の値の割当が異なっている点など）。この構成によれば、遊技者が大当りとなる可能性を容易に認識することができ、大当りに対する期待感が高められる。
【００１６】
請求項５に記載の遊技機においては、前記文字列画像生成手段により生成される文字列画像は、前記事前判定手段によって特定表示結果とすることが決定されたときに識別情報の表示結果が特定表示結果となることを示す文字列画像（例えば図６８（Ｄ）において台詞表示エリア４２に表示される文字列画像など）を含む。この構成によれば、遊技者にとって意外な演出表示が行われるので、文字列画像に対する関心を高めることができ、文字列画像を用いた演出表示の効果を高めることができる。
【００１７】
請求項６に記載の遊技機においては、前記演出表示制御手段は、段階的に画像を出現させるフェードイン処理を行うことで前記可変表示装置における表示画像の切替表示を実行させるフェードイン切替表示手段（例えばＣＰＵ１１２がステップＳ５３１のフェードイン処理を実行する部分）と、段階的に画像を消滅させるフェードアウト処理を行うことで前記可変表示装置における表示画像の切替表示を実行させるフェードアウト切替表示手段（例えばＣＰＵ１１２がステップＳ５３３のフェードアウト処理を実行する部分）と、前記フェードイン切替表示手段による表示画像の切替表示が完了した後に表示されているフレームデータの画像から動画再生を開始させる動画再生開始手段（例えばＣＰＵ１１２がステップＳ５２８の処理を実行する部分）と、前記データ再生手段による動画再生を終了するときに、動画再生の終了時におけるフレームデータの画像を表示する動画再生終了手段（例えばＣＰＵ１１２がステップＳ５２５の処理を実行する部分）、とを含み、前記フェードイン切替表示手段は、前記データ再生手段による動画再生を開始するときに使用されるフレームデータから透過度を段階的に高めていった複数のフェードイン画像を生成するフェードイン画像生成手段（例えばＧＣＬ１１６がＣＰＵ１１２におけるステップＳ５４５に応じた処理を実行する部分）と、前記フェードイン画像生成手段により生成された各フェードイン画像を、透過度が最も高められているフェードイン画像から、透過度がより低いフェードイン画像に順次移行させ、最終的に前記フレームデータの画像を表示させることにより前記フェードイン処理を実行するフェードイン処理手段（例えばＣＰＵ１１２がステップＳ５４６〜Ｓ５４９の処理を実行する部分）、とを含み、前記フェードアウト切替表示手段は、前記データ再生手段による動画再生を終了するときに使用されるフレームデータから透過度を段階的に高めていった複数のフェードアウト画像を生成するフェードアウト画像生成手段（例えばＧＣＬ１１６がＣＰＵ１１２におけるステップＳ５６５に応じた処理を実行する部分）と、前記フェードアウト画像生成手段により生成された各フェードアウト画像を、動画再生の終了時におけるフレームデータの画像から、透過度がより高められているフェードアウト画像に順次移行させ、最終的に透過度が最も高められているフェードアウト画像を表示させることにより前記フェードアウト処理を実行するフェードアウト処理手段（例えばＣＰＵ１１２がステップＳ５６６〜Ｓ５６９の処理を実行する部分）、とを含む。この構成によれば、動画像データのデータ量を増大させることなく、フェードイン表示やフェードアウト表示を行うことができるので、動画像データのデータ量を増大させることなく多様な演出表示を可能として動画像データの格納に必要な記憶容量を抑えることができる。また、画像切替時の違和感を緩和することができる。
【００１８】
請求項７に記載の遊技機においては、前記演出表示制御手段は、所定の静止画像表示タイミングとなったことに応じて前記データ再生手段による動画再生を中断する動画再生中断手段（例えばＣＰＵ１１２がステップＳ５２５の処理を実行する部分）と、前記動画再生中断手段により動画再生が中断されたときに、動画像データに含まれる静止対象画像データに基づいて、前記可変表示装置における動画像表示を静止画像表示に切り替える静止画像表示切替手段（例えばＣＰＵ１１２がステップＳ５２６の処理を実行する部分）と、動画再生処理が中断される中断期間中に、前記静止対象画像データを使用することで、前記可変表示装置上に静止画像を表示させる静止画表示制御手段（例えばＣＰＵ１１２がステップＳ３０６を実行した後に再びステップＳ１５２の可変表示中処理を実行する部分）と、前記中断期間が終了したときに、前記可変表示装置における静止画像表示を動画像表示に切り替える動画像表示切替手段（例えばＣＰＵ１１２がステップＳ５２８の処理を実行する部分）、とを含む。この構成によれば、動画像を用いた演出表示中における表示画像に変化がない場面で、そのような場面を表示させるための動画像データを用意する必要がなくなり、静止表示を行うための動画像データを削減することができる。従って、動画像データ全体のデータ量を低減させることができ、動画像データの格納に必要な記憶容量を抑えることができる。
【図面の簡単な説明】
【００１９】
【図１】本発明の実施の形態におけるパチンコ遊技機の正面図である。
【図２】可変表示装置における画像表示例を示す図である。
【図３】この実施の形態で用いられる特別図柄の例を示す図である。
【図４】本発明の実施の形態におけるパチンコ遊技機の背面図である。
【図５】主基板における回路構成等を示すブロック図である。
【図６】表示制御コマンドの内容の一例を示す図である。
【図７】遊技制御用マイクロコンピュータの構成例を示すブロック図である。
【図８】遊技制御用マイクロコンピュータのランダムカウンタによりカウントされる各乱数の例を示す図である。
【図９】大当り判定テーブルの構成例を示す図である。
【図１０】連続予告判定テーブルの構成例を示す図である。
【図１１】大当り図柄決定用テーブルの構成例を示す図である。
【図１２】左・中・右の図柄決定用テーブルの構成例を示す図である。
【図１３】可変表示パターンテーブルの構成例を示す図である。
【図１４】表示制御基板におけるハードウェア構成の一例を示すブロック図である。
【図１５】ＧＣＬの構成例を示すブロック図である。
【図１６】ＣＧＲＯＭにおけるデータ格納領域の構成例を示すブロック図である。
【図１７】動画像データ格納領域及び台詞画像データ格納領域に格納されるデータの構成例を示すブロック図である。
【図１８】動画像データにおけるストリーム構成の一例を示す図である。
【図１９】表示制御基板の構成例を示すブロック図である。
【図２０】表示制御基板のランダムカウンタによりカウントされる乱数の例を示す図である。
【図２１】表示制御プロセステーブルメモリの構成例を示す図である。
【図２２】表示制御プロセステーブルの構成例を示す図である。
【図２３】動画像表示手順決定テーブルの構成例を示す図である。
【図２４】連続予告中台詞決定テーブルの構成例を示す図である。
【図２５】最終予告時台詞決定テーブルの構成例を示す図である。
【図２６】遊技制御メイン処理を示すフローチャートである。
【図２７】遊技制御割込処理を示すフローチャートである。
【図２８】特別図柄プロセス処理を示すフローチャートである。
【図２９】図２８における特別図柄通常処理の詳細を示すフローチャートである。
【図３０】図２９における大当り・連続予告判定処理の詳細を示すフローチャートである。
【図３１】図２９における大当り・連続予告判定処理の詳細を示すフローチャートである。
【図３２】図３０における大当り判定処理の詳細を示すフローチャートである。
【図３３】連続予告の実行確率と大当り信頼度の一例を示す説明図である。
【図３４】図２８における確定図柄設定処理の詳細を示すフローチャートである。
【図３５】図２８における確定図柄設定処理の詳細を示すフローチャートである。
【図３６】図２８における可変表示パターン設定処理の詳細を示すフローチャートである。
【図３７】図２８における可変表示パターン設定処理の詳細を示すフローチャートである。
【図３８】表示制御プロセス処理を示すフローチャートである。
【図３９】図３８における可変表示開始コマンド受信待ち処理の詳細を示すフローチャートである。
【図４０】図３８における表示制御設定処理の詳細を示すフローチャートである。
【図４１】図４０における台詞表示手順決定処理の詳細を示すフローチャートである。
【図４２】各台詞表示制御プロセステーブルの選択確率と大当り信頼度の一例を示す説明図である。
【図４３】図３８における可変表示中処理の詳細を示すフローチャートである。
【図４４】図４３における動画像表示制御処理の詳細を示すフローチャートである。
【図４５】図４４におけるフェードイン処理の詳細を示すフローチャートである。
【図４６】フェードイン処理及びフェードアウト処理に用いられる数式の例を示す説明図である。
【図４７】フェードイン処理により作成されるフェードイン画像の表示状態を示す説明図である。
【図４８】図４４におけるフェードアウト処理の詳細を示すフローチャートである。
【図４９】フェードアウト処理により作成されるフェードアウト画像の表示状態を示す説明図である。
【図５０】図４３における台詞画像表示制御処理の詳細を示すフローチャートである。
【図５１】図４３における図柄表示制御処理の詳細を示すフローチャートである。
【図５２】動画像データに基づく動画像の再生表示例を示す図である。
【図５３】動画像データに基づく動画像の再生表示例を示す図である。
【図５４】動画像Ａ−１表示制御プロセステーブルの具体的な構成の一例を示す図である。
【図５５】動画像Ａ−２表示制御プロセステーブルの具体的な構成の一例を示す図である。
【図５６】動画像Ｂ−１表示制御プロセステーブルの具体的な構成の一例を示す図である。
【図５７】動画像Ｂ−２表示制御プロセステーブルの具体的な構成の一例を示す図である。
【図５８】動画像Ｄ表示制御プロセステーブルの具体的な構成の一例を示す図である。
【図５９】台詞表示制御プロセステーブルの具体的な構成例を示す図である。
【図６０】特別図柄及び動画像の表示プロセスを示す説明図である。
【図６１】４回の特図ゲームにわたり連続して動画像を用いた予告演出を行う具体例におけるシーケンス図である。
【図６２】予告演出が行われる特図ゲームにおける表示状態の一例を示す図である。
【図６３】予告演出が行われる特図ゲームにおける表示状態の一例を示す図である。
【図６４】台詞表示制御プロセステーブルの具体的な構成例を示す図である。
【図６５】予告演出が行われる特図ゲームにおける表示状態の一例を示す図である。
【図６６】予告演出が行われる特図ゲームにおける表示状態の一例を示す図である。
【図６７】予告演出が行われる特図ゲームにおける表示状態の一例を示す図である。
【図６８】予告演出が行われる特図ゲームにおける表示状態の一例を示す図である。
【図６９】２回の特図ゲームにわたり連続して動画像を用いた予告演出を行う具体例におけるシーケンス図である。
【図７０】予告演出が行われる特図ゲームにおける表示状態の一例を示す図である。
【発明を実施するための形態】
【００２０】
以下、図面を参照しつつ、本発明の一実施形態を詳細に説明する。なお、以下の説明においてリーチとは、表示結果として導出表示した図柄（リーチ図柄という）が大当り組合せの一部を構成しているときに未だ導出表示していない図柄（リーチ変動図柄という）については可変表示が行われている状態、あるいは、全て又は一部の図柄が大当り組合せの全て又は一部を構成しながら同期して可変表示している状態のことである。具体的には、予め定められた複数の表示領域に、予め定められた図柄が停止することで大当りとなる有効ラインが定められ、その有効ライン上の一部の表示領域に予め定められた図柄が停止しているときに未だ停止していない有効ライン上の表示領域において可変表示が行われている状態（例えば、左、中、右の表示領域のうち左、中の表示領域には大当り図柄の一部となる（例えば「７」）が停止表示されている状態で右の表示領域は未だ可変表示が行われている状態）、あるいは、有効ライン上の表示領域の全て又は一部の図柄が大当り組合せの全て又は一部を構成しながら同期して可変表示している状態（例えば、左、中、右の表示領域の全てで可変表示が行われてどの状態が表示されても同一の図柄が揃っている態様で可変表示が行われている状態）である。また、リーチの際に、通常と異なる演出がランプや音で行われることがある。この演出をリーチ演出という。また、リーチの際に、キャラクタ（人物等を模した演出表示であり、図柄とは異なるもの）を表示させたり、背景の表示態様を変化させたりすることがある。このキャラクタの表示や背景の表示態様の変化をリーチ演出表示という。
【００２１】
本実施例における遊技機としては、ＬＣＤ等からなる画像表示装置により特図ゲームを行う遊技機であり、プリペイドカードによって球貸しを行うカードリーダ（ＣＲ：Card Reader）式の第１種パチンコ遊技機や、ＬＣＤを搭載したスロットマシン等の遊技機である。
【００２２】
また、パチンコ遊技機等の弾球遊技機であっても、画像表示装置を有するものであれば、例えば、第２種あるいは第３種に分類されるパチンコ遊技機や、一般電役機、又はパチコンと呼ばれる確率設定機能付き弾球遊技機等であっても構わない。さらには、プリペイドカードによって球貸しを行うＣＲ式パチンコ遊技機だけではなく、現金によって球貸しを行うパチンコ遊技機にも適用可能である。すなわち、ＬＣＤ等からなる画像表示装置を有し、識別情報としての図柄を可変表示することが可能な遊技機であれば、どのような形態のものであっても構わない。
【００２３】
図１は、本実施例におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２にはガイドレールによって囲まれた、ほぼ円形状の遊技領域が形成されている。この遊技領域のほぼ中央位置には、各々が識別可能な識別情報として特別図柄及び飾り図柄を可変表示可能に表示する可変表示装置４が設けられている。この可変表示装置４の下側には、普通可変入賞球装置（始動入賞口）６が配置されている。普通可変入賞球装置６の下側には、特別可変入賞球装置（大入賞口）７が配置されている。また、可変表示装置４の上部には、普通図柄表示器４０が設けられている。
【００２４】
可変表示装置４は、例えばＬＣＤ等からなり、普通可変入賞球装置６に遊技球が入賞することが実行条件となる可変表示ゲーム（特図ゲーム）において、数字、文字、図柄から構成され、各々が識別可能な複数種類の識別情報として機能する表示図柄を、複数の可変表示領域にて可変表示可能に表示する。図２は、可変表示装置４における画像表示例を示す図である。図２（Ａ）に示す例では、可変表示装置４上に、３つの可変表示部４ａ〜４ｃが配置され、各可変表示部４ａ〜４ｃにおいて左・中・右の特別図柄が可変表示されるものとする。また、図２（Ｂ）に示す例では、可変表示部４ａ〜４ｃにおける特別図柄が可変表示装置４での表示画面左上端部にて縮小表示される。そして、可変表示部４ａ〜４ｃにおける特別図柄の縮小と移動に伴ってできた表示領域に、画像表示エリア４１と、台詞表示エリア４２とが配置される。
【００２５】
可変表示装置４により行われる特図ゲームでは、特別図柄の可変表示を開始した後、一定時間が経過すると、特別図柄の表示結果を所定の順序で導出表示し、確定図柄（最終停止図柄）を停止表示する。そして、確定図柄の組合せが所定の特定表示結果（大当り組合せ）となったときに、このパチンコ遊技機１は、特定遊技状態（大当り遊技状態ともいう）となる。この大当り遊技状態においては、特別可変入賞球装置７が所定期間（例えば、２９秒）あるいは所定個数（例えば、１０個）の入賞球が発生するまで開成され、開成されている間、遊技盤２の表面を落下する遊技球を受け止める。そして、この開成サイクルを所定の上限回数（例えば、１６回）まで繰り返すことができる。
【００２６】
図３は、この実施の形態で用いられる特別図柄の例を示す図である。この実施の形態では、左可変表示部４ａに特別図柄として表示される左図柄、中可変表示部４ｂに特別図柄として表示される中図柄、右可変表示部４ｃに特別図柄として表示される右図柄は、それぞれ９図柄であり、各図柄には「１」〜「９」の図柄番号が付されている。例えば、左・中・右の各可変表示部４ａ〜４ｃでは、特図ゲーム中に特別図柄の可変表示が開始されると、図柄番号が小さい特別図柄から大きい特別図柄へと更新表示が行われ、図柄番号が「９」の特別図柄が表示されると、次に図柄番号が「１」の特別図柄が表示される。
【００２７】
この実施の形態では、図柄番号が偶数である特別図柄を通常大当り図柄とし、図柄番号が奇数である特別図柄を確変大当り図柄とする。すなわち、可変表示装置４による特図ゲームにおいて、特別図柄の可変表示を開始した後、左・中・右の各可変表示部４ａ〜４ｃにて同一の特別図柄が表示結果として導出表示されて確定したときには、パチンコ遊技機１は、大当り遊技状態となる。また、可変表示装置４による特図ゲームにおいて、特別図柄の可変表示を開始した後、左・中・右の各可変表示部４ａ〜４ｃにて同一の確変大当り図柄が表示結果として導出表示されて確定したときには、パチンコ遊技機１は大当り遊技状態の終了に続いて特別遊技状態（確率向上状態）となり、以後、所定条件が成立するまで特図ゲームにおける表示結果が大当り組合せとなる確率が向上する。また、確率向上状態では、普通可変入賞球装置６の開放時間が通常遊技状態よりも長くなるとともに、その開放回数が通常遊技状態のときよりも増加するなど、大当り遊技状態とは異なる遊技者にとって有利な状態となる。なお、通常遊技状態とは、大当り遊技状態や確率向上状態以外の遊技状態のことである。
【００２８】
普通図柄表示器４０は、発光ダイオード（ＬＥＤ）等を備えて構成され、遊技領域に設けられた通過ゲートを遊技球が通過することを始動条件とする普通図ゲームにおいて、点灯、点滅、発色などが制御される。この普通図ゲームにおいて所定の当りパターンで表示が行われると、普通図ゲームにおける表示結果が「当り」となり、普通可変入賞球装置６を構成する電動チューリップの可動翼片を所定時間が経過するまで傾動制御する。
【００２９】
普通可変入賞球装置６は、ソレノイド２１（図５）によって垂直（通常開放）位置と傾動（拡大開放）位置との間で可動制御される一対の可動翼片を有するチューリップ型役物（普通電動役物）５を備えて構成される。普通可変入賞球装置６への遊技球の入賞に基づく特別図柄及び飾り図柄の可変表示は、所定回数（本実施形態では、４回）まで後述する特図保留メモリ１２０（図７）に記憶される。
【００３０】
特別可変入賞球装置７は、ソレノイド２２（図５）によって入賞領域を開成・閉成制御する開閉板を備える。この開閉板は、通常時には閉成し、普通可変入賞球装置６への遊技球の入賞に基づいて可変表示装置４による特図ゲームが行われた結果、大当り遊技状態となった場合に、ソレノイド２２によって入賞領域を所定期間（例えば、２９秒）あるいは所定個数（例えば、１０個）の入賞球が発生するまで開成（開成サイクル）する状態となるように設定され、その開成している間に遊技領域を落下する遊技球を受け止める。そして、この開成サイクルを例えば最高１６回繰り返すことができるようになっている。特別可変入賞球装置７に入賞した遊技球は、所定の検出部により検出される。入賞球の検出に応答し、後述する主基板１１と払出制御基板１５（図４）とにより、所定数の賞球の払い出しが行われる。
【００３１】
また、遊技盤２の表面には、上記した構成以外にも、ランプを内蔵した風車、アウト口等が設けられている。また、パチンコ遊技機１には、点灯又は点滅する遊技効果ランプ９や効果音を発生するスピーカ８Ｌ、８Ｒが設けられている。
【００３２】
図４は、パチンコ遊技機１の背面図であり、主要基板の配置レイアウトを示す。本実施例におけるパチンコ遊技機１は、主として、電源基板１０と、主基板１１と、表示制御基板１２と、音声制御基板１３と、ランプ制御基板１４と、払出制御基板１５と、情報端子基板１６とを備え、それぞれ適所に配設されている。なお、表示制御基板１２、音声制御基板１３及びランプ制御基板１４は、それぞれ独立した基板として、例えば、パチンコ遊技機１の裏面において、１つのボックスに収容された状態で配置されてもよい。さらに、表示制御基板１２、音声制御基板１３及びランプ制御基板１４を、まとめて１つの基板として構成してもよい。
【００３３】
電源基板１０は、パチンコ遊技機１内の各回路に所定の電源電圧を供給するものである。
【００３４】
主基板１１は、メイン側の制御基板であり、パチンコ遊技機１における遊技の進行を制御するための各種回路が搭載されている。主基板１１は、主として、可変表示ゲームにおいて用いる乱数の生成機能、所定位置に配設されたスイッチ等からの信号の入力を行う機能、表示制御基板１２、音声制御基板１３、ランプ制御基板１４及び払出制御基板１５などからなるサブ側の制御基板に対して、それぞれ指令情報の一例となる制御コマンドを出力して送信する機能、ホールの管理コンピュータに対して各種情報を出力する機能などを備えている。
【００３５】
主基板１１から表示制御基板１２へ送信される制御コマンドは表示制御コマンドである。図５は、主基板１１における回路構成、及び主基板１１から表示制御基板１２に送信される表示制御コマンドの信号線を示すブロック図である。図５に示すように、この実施の形態では、表示制御コマンドが、表示制御信号ＣＤ０〜ＣＤ７の８本の信号線で主基板１１から表示制御基板１２に対して送出される。また、主基板１１と表示制御基板１２との間には、ストローブ信号を送受するための表示制御ＩＮＴ信号の信号線も配線されている。
【００３６】
図６（Ａ）は、この実施の形態で用いられる主基板１１から表示制御基板１２に対して送出される表示制御コマンドの内容の一例を示す説明図である。表示制御コマンドは２バイト構成であり、１バイト目はＭＯＤＥ（コマンドの分類）を表し、２バイト目はＥＸＴ（コマンドの種類）を表す。ＭＯＤＥデータの先頭ビットは必ず「１」とされ、ＥＸＴデータの先頭ビットは「０」とされる。なお、図６（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【００３７】
図６（Ａ）に示す例において、コマンド８０ＸＸ（ｈ）は、可変表示装置４における特別図柄の可変表示の開始を指令する可変表示開始コマンドである。なお、以下では、ＸＸ（ｈ）が不特定の１６進数であることを示し、表示制御コマンドによる指示内容に応じて任意に設定される値であるものとする。表示制御基板１２の側では、可変表示開始コマンドに含まれるＥＸＴデータに対応して、特別図柄の総可変表示時間、可変表示の表示結果が特定表示結果になるか否かの判定結果やリーチとするか否かの判定結果などを特定することができる。
【００３８】
コマンド９１ＸＸ（ｈ）、９２ＸＸ（ｈ）、及び９３ＸＸ（ｈ）は、特別図柄の左・中・右確定図柄を指定する図柄指定コマンドである。各図柄指定コマンドでは、ＸＸ（ｈ）に特別図柄の図柄番号が設定される。また、コマンドＡ０００（ｈ）は、特別図柄の可変表示の停止を指示する特別図柄確定コマンドである。コマンドＢ０ＸＸ（ｈ）は、リーチとなる可能性があること、または大当りとなる可能性があることを報知するための予告演出を複数回の特図ゲームにわたり連続して行う連続予告を実行するときに、予告演出が連続して行われる特図ゲームの実行回数（可変表示回数）を指示するための連続予告回数指定コマンドである。連続予告コマンドでは、図６（Ｂ）に示すように、ＥＸＴデータＸＸ（ｈ）により、連続予告の実行回数が指定される。
【００３９】
主基板１１には、図５に示すように、始動入賞口である普通可変入賞球装置６や、大入賞口である特別可変入賞球装置７、その他の入賞口への遊技球の入賞等を検出するための各入賞口スイッチ７０からの配線も接続されている。さらに、主基板１１には、普通可変入賞球装置６における可動翼片の可動制御や特別可変入賞球装置７における開成・閉成制御を行うためのソレノイド２１、２２への配線が接続されている。
【００４０】
主基板１１は、遊技制御用マイクロコンピュータ１００、スイッチ回路１０７、ソレノイド回路１０８などを搭載して構成される。遊技制御用マイクロコンピュータ１００は、例えば１チップマイクロコンピュータであり、ゲーム制御用のプログラム等を記憶するＲＯＭ（Read Only Memory）１０１、ワークメモリとして使用されるＲＡＭ（Random Access Memory）１０２、プログラムに従って制御動作を行うＣＰＵ（Central Processing Unit）１０３及びＩ／Ｏ（Input/Output）ポート１０４を含んでいる。
【００４１】
また、遊技制御用マイクロコンピュータ１００は、図７に示すように、特図保留メモリ１２０と、ランダムカウンタ１２１と、判定テーブルメモリ１２２と、図柄決定用テーブルメモリ１２３と、可変表示パターンテーブルメモリ１２４と、フラグメモリ１２５と、連続予告回数メモリ１２６と、連続予告カウンタ１２７と、可変表示時間タイマ１２８とを備えている。
【００４２】
特図保留メモリ１２０は、遊技球が普通可変入賞球装置６に入賞して特別図柄の可変表示（特図ゲーム）を実行するための条件（実行条件）が成立したが、従前の可変表示を実行中である等の理由のために可変表示を実際に開始するための条件（開始条件）が成立していない保留状態を記憶するためのメモリである。図７に示す特図保留メモリ１２０では、４つのエントリが設けられており、各エントリには、普通可変入賞球装置６への入賞順に、保留番号と、その入賞に応じて抽出された乱数値（後述するランダムＲ１の値）と、後述する大当り・連続予告判定処理（図３０）にて実行される大当り判定処理での判定結果である大当りフラグの設定を示すデータとが、対応付けて格納される。主基板１１から表示制御基板１２に対して特別図柄確定コマンドＡ０００（ｈ）が送出されて特別図柄の可変表示が１回終了したり、大当り遊技状態が終了したりするごとに、最上位の情報に基づいた可変表示の開始条件が成立し、最上位の情報に基づいた可変表示が実行される。このとき、第２位以下の登録情報が１位ずつ繰り上がる。また、特別図柄の可変表示中等に遊技球が普通可変入賞球装置６に新たに入賞した場合には、その入賞による乱数値が最上位の空エントリに登録される。
【００４３】
ランダムカウンタ１２１は、遊技制御に用いられる判定用乱数や表示用乱数のカウントを行うものである。図８は、ランダムカウンタ１２１によりカウントされる各乱数を示す説明図である。ランダムカウンタ１２１は、図８に示すように、ランダムＲ１〜Ｒ６のカウントを行う。ランダムＲ１は、大当りを発生させてパチンコ遊技機１を特定遊技状態とするか否かを決定する大当り判定用の乱数であり、「０」〜「２９９」の範囲の値をとる。ランダムＲ２は、ハズレ時にリーチとするか否かを決定するリーチ判定用の乱数であり、「０」〜「１５３０」の範囲の値をとる。ランダムＲ３は、特別図柄の可変表示に用いる可変表示パターンを決定するための表示用の乱数であり、「０」〜「１４９」の範囲の値をとる。ランダムＲ４−１は、大当り時における特別図柄の確定図柄と、ハズレ時に左図柄における確定図柄とを、決定する乱数であり、「０」〜「１０６」の範囲の値をとる。ランダムＲ４−２は、ハズレ時に中図柄における確定図柄を決定する乱数であり、「０」〜「１６２」の範囲の値をとる。ランダムＲ４−３は、リーチとしない通常ハズレ時に右図柄における確定図柄を決定する乱数であり、「０」〜「７２」の範囲の値をとる。
【００４４】
ランダムＲ５は、パチンコ遊技機１を大当り遊技状態とした後に確率向上状態へと移行する確率変動制御（確変制御）を行うか否かを決定するための乱数であり、「０」〜「９」の範囲の値をとる。ランダムＲ６は、可変表示装置４による複数回の特図ゲームにおいて、連続予告を実行するか否かを決定するための乱数であり、「０」〜「９９９」の範囲の値をとる。ここで、連続予告は、特図保留メモリ１２０における保留記憶数を上限として、可変表示装置４による複数回の特図ゲームにて、大当りとなる可能性があること、またはリーチとなる可能性があることを報知するために行われる。
【００４５】
図７に示す判定テーブルメモリ１２２は、ＣＰＵ１０３が各種の判定を行うために設定される複数の判定テーブルを記憶する。具体的には、判定テーブルメモリ１２２は、図９（Ａ）に示す通常時大当り判定テーブル１４０、図９（Ｂ）に示す確変時大当り判定テーブル１４１、図１０（Ａ）に示すハズレ時連続予告判定テーブル１４２、図１０（Ｂ）に示す大当り時連続予告判定テーブル１４３を格納する。
【００４６】
図９（Ａ）に示す通常時大当り判定テーブル１４０と、図９（Ｂ）に示す確変時大当り判定テーブル１４１は、可変表示装置４による特図ゲームの表示結果を大当りとするか否かを判定するためのテーブルである。各大当り判定テーブル１４０、１４１では、ランダムＲ１の値と特図ゲームの表示結果を示す設定データとが対応付けて格納されている。そして、確変時大当り判定テーブル１４１では、通常時大当り判定テーブル１４０に比べてより多くのランダムＲ１の値が、「大当り」の表示結果と対応付けられている。すなわち、確変時大当り判定テーブル１４１を用いて特図ゲームの表示結果を決定することで、通常遊技状態のときよりも大当り遊技状態となる確率が高い確率向上状態とすることができる。
【００４７】
図１０（Ａ）に示すハズレ時連続予告判定テーブル１４２と、図１０（Ｂ）に示す大当り時連続予告判定テーブル１４３は、連続予告を実行するか否かを判定するためのテーブルである。各連続予告判定テーブル１４２、１４３では、連続予告の実行回数を示す設定データと、ランダムＲ６の値と、連続予告を実行するか否かの判定結果を示す設定データとが、対応付けて格納されている。
【００４８】
ここで、ハズレ時連続予告判定テーブル１４２と、大当り時連続予告判定テーブル１４３とを比べると、連続予告の実行回数に応じて連続予告を実行するとの判定結果を示す設定データに対するランダムＲ６の割当が異なっている。すなわち、連続予告を実行する回数に応じて、連続予告の最後となる予告演出が行われた特図ゲームにおける表示結果が大当りとなるか否かの確率が異なるように、決定用データとしてのランダムＲ６の値が割り振られている。例えば、大当り時連続予告判定テーブル１４３では、図１０（Ｂ）に示すように、連続予告を実行する回数が増加するに従って、連続予告を実行するとの判定結果に対して割り当てられるランダムＲ６の値の割合が高くなるように設定されている。このため、予告演出が連続して行われる特図ゲームの実行回数が増加するに従って、表示結果が大当りとなる確率が高くなる。
【００４９】
図７に示す図柄決定用テーブルメモリ１２３は、可変表示装置４にて可変表示される特別図柄の確定図柄を決定するために用いられる複数種類の図柄決定用テーブルを記憶する。具体的には、図柄決定用テーブルメモリ１２３は、図１１（Ａ）に示す通常大当り図柄決定用テーブル１４４、図１１（Ｂ）に示す確変大当り図柄決定用テーブル１４５、図１２（Ａ）に示す左図柄決定用テーブル１４６、図１２（Ｂ）に示す中図柄決定用テーブル１４７、及び図１２（Ｃ）に示す右図柄決定用テーブル１４８を格納する。
【００５０】
図１１（Ａ）に示す通常大当り図柄決定用テーブル１４４は、特図ゲームの表示結果として左・中・右で同一の通常大当り図柄を導出表示するときに、各々の特別図柄の確定図柄を決定するためのテーブルである。例えば、通常大当り図柄決定用テーブル１４４には、確定図柄として選択決定される通常大当り図柄としての特別図柄の図柄番号と、ランダムＲ４−１の値とが対応付けて格納されている。
【００５１】
図１１（Ｂ）に示す確変大当り図柄決定用テーブル１４５は、特図ゲームの表示結果として左・中・右で同一の確変大当り図柄を導出表示するときに、各々の特別図柄の確定図柄を決定するためのテーブルである。例えば、確変大当り図柄決定用テーブル１４５には、確定図柄として選択決定される確変大当り図柄としての特別図柄の図柄番号と、ランダムＲ４−１の値とが対応付けて格納されている。
【００５２】
図１２（Ａ）に示す左図柄決定用テーブル１４６は、特図ゲームにて大当りとすることなくハズレの表示結果を導出表示するときに、左可変表示部４ａにおける確定図柄（左確定図柄）を決定するためのテーブルである。例えば、左図柄決定用テーブル１４６には、左可変表示部４ａにおける確定図柄となる特別図柄の図柄番号と、ランダムＲ４−１の値とが対応付けて格納されている。
【００５３】
図１２（Ｂ）に示す中図柄決定用テーブル１４７は、ハズレの表示結果を導出表示するときに、中可変表示部４ｂにおける確定図柄（中確定図柄）を決定するためのテーブルである。例えば、中図柄決定用テーブル１４７には、左確定図柄の図柄番号に対する加算値と、ランダムＲ４−２の値とが対応付けて格納されている。すなわち、大当りとしないハズレ時には、ランダムカウンタ１２１から抽出されるランダムＲ４−２の値に基づき中図柄決定用テーブル１４７を用いて決定した加算値を、左図柄決定用テーブル１４６を用いて決定した左確定図柄の図柄番号に加算することで、中確定図柄を決めることができる。なお、リーチとした後に大当りとすることなくハズレの表示結果を導出表示するときに、中図柄決定用テーブル１４７を用いて決定された加算値が「０」である場合には、導出される表示結果をハズレとするために、中確定図柄の図柄番号を１加算するなどしてもよい。
【００５４】
図１２（Ｃ）に示す右図柄決定用テーブル１４８は、ハズレの表示結果を導出表示するときに、右可変表示部４ｃにおける確定図柄（右確定図柄）を決定するためのテーブルである。例えば、右図柄決定用テーブル１４８には、左確定図柄の図柄番号に対する加算値と、ランダムＲ４−３の値とが対応付けて格納されている。
【００５５】
図７に示す可変表示パターンテーブルメモリ１２４は、特図ゲームで使用される複数の可変表示パターンを記憶する。具体的には、可変表示パターンテーブルメモリ１２４は、図１３（Ａ）に示す通常時可変表示パターンテーブル１４９、図１３（Ｂ）に示すリーチ時可変表示パターンテーブル１５０、図１３（Ｃ）に示す大当り時可変表示パターンテーブル１５１を格納する。
【００５６】
図１３（Ａ）に示す通常時可変表示パターンテーブル１４９は、リーチとすることなくハズレの確定図柄を導出表示する可変表示パターンを選択するためのテーブルである。図１３（Ｂ）に示すリーチ時可変表示パターンテーブル１５０は、リーチとした後に当りとすることなくハズレの確定図柄を導出表示する可変表示パターンを選択するためのテーブルである。図１３（Ｃ）に示す大当り時可変表示パターンテーブル１５１は、特別図柄の可変表示における表示結果を大当りとするときに用いる可変表示パターンを選択するためのテーブルである。
【００５７】
各可変表示パターンテーブル１４９〜１５１には、例えば、複数の可変表示パターンと、可変表示時間タイマ１２８が計測する特別図柄の総可変表示時間と、可変表示開始コマンドのＥＸＴデータとして設定される制御コードとが対応付けて格納されている。すなわち、主基板１１から表示制御基板１２に対して送出される可変表示開始コマンドは、特別図柄の可変表示における可変表示パターンを、ＥＸＴデータにより指定する。また、表示結果をハズレとするか、大当りとするかに応じて、異なる可変表示パターンが用いられる。このため、表示制御基板１２の側では、主基板１１から送信された可変表示開始コマンドにより、特別図柄の可変表示における表示結果を特定表示結果とするか否かを特定することができる。また、リーチ時可変表示パターンテーブル１５０と、大当り時可変表示パターンテーブル１５１では、リーチＢ〜リーチＤの可変表示パターンに対して決定用データとなるランダムＲ３の値が割り振られており、各可変表示パターンが所定の割合で選択決定可能に設定されている。
【００５８】
通常時可変表示パターンテーブル１４９を用いて選択される通常Ａ、通常Ｂの可変表示パターンは、リーチ表示態様を伴わない可変表示パターンである。リーチ時可変表示パターンテーブル１５０を用いて選択されるリーチＡ（ハズレ）〜リーチＤ（ハズレ）の可変表示パターンは、リーチ表示態様を伴うが可変表示結果（確定図柄）が大当りを生じさせるものとならない可変表示パターンである。他方、大当り時可変表示パターンテーブル１５１を用いて選択されるリーチＡ（大当り）〜リーチＤ（大当り）の可変表示パターンは、リーチ表示態様を伴い、可変表示結果が大当りを生じさせる可変表示パターンである。
【００５９】
この実施の形態において、通常Ａ（ハズレ）の可変表示パターンは、連続予告を実行するための設定がなされていないとき（後述する連続予告フラグがオフとなっているとき）に、リーチ表示態様とすることなくハズレの可変表示結果を導出表示する可変表示パターンである。通常Ｂ（ハズレ）の可変表示パターンは、連続予告を実行するための設定がなされたとき（連続予告フラグがオンとなっているとき）に、リーチ表示態様とすることなくハズレの可変表示結果を導出表示する可変表示パターンである。通常Ｂ（ハズレ）の可変表示パターンは、連続予告が行われた後の表示結果が大当りとなる可能性があることを報知するための予告演出として、可変表示装置４の表示領域に配置された画像表示エリア４１に動画像を表示させる。
【００６０】
また、リーチＡの可変表示パターンは、連続予告の最後となる予告演出が行われる特図ゲームで使用される可変表示パターンであり、通常Ｂ（ハズレ）の可変表示パターンと同様に、可変表示装置４の表示領域に配置された画像表示エリア４１に動画像を表示させる。ここで、リーチ時可変表示パターンテーブル１５０を用いて選択されるリーチＡ（ハズレ）の可変表示パターンは、リーチ表示態様を伴うが可変表示結果（確定図柄）が大当りを生じさせるものとならない可変表示パターンである。他方、大当り時可変表示パターンテーブル１５１を用いて選択されるリーチＡ（大当り）の可変表示パターンは、リーチ表示態様を伴い、可変表示結果が大当りを生じさせる可変表示パターンである。
【００６１】
リーチＢ〜リーチＤの可変表示パターンは、リーチＡの可変表示パターンとは異なり、動画像による演出表示を行わない可変表示パターンである。リーチＢ〜リーチＤの各可変表示パターンでは、リーチ表示態様が異なる。ここで、リーチ態様が異なるとは、リーチとなった後に異なる可変表示態様（特別図柄の可変表示速度や回転方向等）やキャラクタ等が現れることをいう。例えば、リーチＢでは単に１種類の可変表示態様によってリーチ態様が実現されるのに対して、リーチＣやリーチＤでは、特別図柄の可変表示速度や回転方向が異なる複数の可変表示態様を含むリーチ態様が実現される。
【００６２】
ここで、リーチ時可変表示パターンテーブル１５０と、大当り時可変表示パターンテーブル１５１とを比べると、リーチＢ〜リーチＤの各可変表示パターン（リーチの種類）に対するランダムＲ３の値の割当が異なっている。すなわち、特図ゲームにおける表示結果が大当りとなるか否かに応じて、選択されるリーチ種類の割合が異なるものとなっている。これにより、特図ゲーム中に出現するリーチの種類に応じて、表示結果が大当りとなる確率は異なるものとなる。
【００６３】
図１３（Ｂ）及び図１３（Ｃ）に示す例では、表示結果がリーチハズレとなる場合にリーチＢの可変表示パターンが用いられる割合は、リーチＤの可変表示パターンが用いられる割合よりも高くなっている。一方で、表示結果が大当りとなる場合にリーチＢの可変表示パターンが用いられる割合は、リーチＤの可変表示パターンが用いられる割合よりも低くなっている。このため、特図ゲーム中にリーチＤの可変表示パターンによるリーチが出現した場合には、リーチＡの可変表示パターンによるリーチが出現した場合よりも、表示結果が大当りとなる確率が高くなる。こうしたリーチの種類ごとに決められる表示結果が大当りとなる確率は、リーチの大当り信頼度、あるいは単に、リーチの信頼度と称される。
【００６４】
図７に示すフラグメモリ１２５は、パチンコ遊技機１における遊技の進行を制御するために用いられる複数種類のフラグを設定するためのものである。例えば、フラグメモリ１２５には、特別図柄プロセスフラグ、普通図柄プロセスフラグ、大当りフラグ、確変フラグ、連続予告フラグ、リーチ状態フラグ、入力状態フラグ、エラーフラグ、タイマ割込フラグなどが設けられている。
【００６５】
特別図柄プロセスフラグは、後述する特別図柄プロセス処理（図２８）において、どの処理を選択・実行すべきかを指示する。普通図柄プロセスフラグは、普通図柄表示器４０の表示状態を所定の順序で制御するために、所定の普通図柄プロセス処理においてどの処理を選択・実行すべきかを指示する。大当りフラグは、可変表示装置４による特図ゲームの表示結果が大当りとなるときにオン状態にセットされ、大当り遊技状態が終了するときにクリアされてオフ状態となる。確変フラグは、特図ゲームの表示結果となる特別図柄の確定図柄が、確変大当り図柄となるときにオン状態にセットされ、大当り遊技状態となる確率が向上した確率向上状態から通常遊技状態へ戻るときにクリアされてオフ状態となる。
【００６６】
連続予告フラグは、ハズレ時連続予告判定テーブル１４２又は大当り時連続予告判定テーブル１４３を用いて連続予告を実行すると判定したときにオン状態にセットされ、連続予告の最後となる予告演出が行われる特図ゲームを実行するときにオフ状態にクリアされる。リーチ状態フラグは、可変表示装置４による特図ゲームにて特別図柄の可変表示中に表示態様をリーチ表示態様とすることが決定されたときに、オン状態にセットされる。
【００６７】
入力状態フラグは、Ｉ／Ｏポート１０４に入力される各種信号の状態や各入賞口スイッチ７０から入力される検出信号の状態等に応じて各々セットあるいはクリアさせる複数ビットからなるフラグである。エラーフラグは、パチンコ遊技機１において各種のエラーが発生したときに、発生したエラーの種類に対応するビットがセットされる複数ビットからなるフラグである。タイマ割込フラグは、所定時間が経過してタイマ割込みが発生するごとにオン状態にセットされる。
【００６８】
連続予告回数メモリ１２６は、連続予告が行われる特図ゲームの実行回数をメイン側で記憶するためのものである。連続予告回数メモリ１２６には、連続予告を実行するか否かを判定するときに、特図保留メモリ１２０での保留記憶数に応じた連続予告の実行回数が設定される。連続予告カウンタ１２７は、今回の特図ゲームにて行われる予告演出が連続予告中の何回目に行われる予告演出に該当するかをメイン側でカウントするためのものである。すなわち、連続予告カウンタ１２７のカウント値は、連続予告の最初となる予告演出が行われる特図ゲームにて可変表示の開始条件が成立したときに初期値である「１」に設定され、以後、連続予告が行われる特図ゲームにて可変表示の開始条件が成立するごとに１加算される。
【００６９】
可変表示時間タイマ１２８は、可変表示装置４による特図ゲームの実行時間である可変表示時間をメイン側で計測するためのダウンカウンタであり、主基板１１から表示制御基板１２に対して可変表示開始コマンドが送出されるに際して、可変表示パターンで指定される総可変表示時間に対応するカウント値が初期値として設定される。
【００７０】
図５に示すスイッチ回路１０７は、各入賞口スイッチ７０からの検出信号を取り込んで、遊技制御用マイクロコンピュータ１００に伝達する。ソレノイド回路１０８は、遊技制御用マイクロコンピュータ１００からの指令に従って各ソレノイド２１、２２を駆動する。ソレノイド２１は、リンク機構を介して普通可変入賞球装置６の可動翼片に連結されている。ソレノイド２２は、リンク機構を介して特別可変入賞球装置７の開閉板に連結されている。
【００７１】
表示制御基板１２は、主基板１１とは独立して可変表示ゲームにおける画像処理のための表示制御などを行うものである。表示制御基板１２は、主基板１１から送出される表示制御コマンドに基づいて、可変表示ゲームに用いられる画像を可変表示装置４上に表示させるとともに、普通図柄表示器４０の点灯／消灯制御を行う。
【００７２】
図１４は、表示制御基板１２のハードウェア構成例を示すブロック図である。表示制御基板１２は、発振回路１１０と、リセット回路１１１と、表示制御用のＣＰＵ１１２と、ＲＯＭ１１３と、ＲＡＭ１１４と、ＧＣＬ（Graphic Control LSI）１１５と、ＣＧＲＯＭ１１６と、ＶＲＡＭ（Video RAM）１１７とを備えている。
【００７３】
発振回路１１０は、ＣＰＵ１１２及びＧＣＬ１１５に基準クロック信号を出力するものであり、リセット回路１１１は、ＣＰＵ１１２及びＧＣＬ１１５をリセットするためのリセット信号を出力するものである。ＣＰＵ１１２は、主基板１１から表示制御コマンドを受信するとＲＡＭ１１４を作業領域として用いながらＲＯＭ１１３から表示制御を行うための制御データを読み出す。また、ＣＰＵ１１２は、読み出した制御データに基づいてＧＣＬ１１５に描画命令を送る。ＲＯＭ１１３は、ＣＰＵ１１２によって利用される各種制御プログラム等を格納する半導体メモリであり、ＲＡＭ１１４は、ＣＰＵ１１２によって作業領域として利用される半導体メモリである。
【００７４】
ＧＣＬ１１５は、画像表示を行うための表示装置制御機能及び高速描画機能を有し、ＣＰＵ１１２からの描画命令に従って動作する。また、ＣＰＵ１１２とは独立した二次元のアドレス空間を持ち、そこにＶＲＡＭ１１７をマッピングしている。ＧＣＬ１１５は、ＣＧＲＯＭ１１６から読み出したデータに従って画像データを生成し、ＶＲＡＭ１１７上に展開する。そして、可変表示装置４に対してＲ（赤）、Ｇ（緑）、Ｂ（青）信号及び同期信号を出力する。例えば、Ｒ、Ｇ、Ｂ信号はそれぞれ８ビットで表され、可変表示装置４はＧＣＬ１１５からの指示に従ってＲ、Ｇ、Ｂのそれぞれを２５６階調、これらを合成して約１６７０万色の多色表示を行うことができる。なお、Ｒ、Ｇ、Ｂ信号のビット数は８ビット以外のビット数であってもよく、また、Ｒ、Ｇ、Ｂ信号の各ビット数が互いに異なる数であってもよい。
【００７５】
また、ＧＣＬ１１５は、図１５に示すように、データ伸長部１６０と、データ再生部１６１と、動作制御部１６２と、画像データ処理部１６３とを備えている。データ伸長部１６０は、ＣＧＲＯＭ１１６に格納されている動画像データを伸長するためのものである。データ再生部１６１は、データ伸長部１６０により伸長された動画像データに基づいて生成される画像を可変表示装置４に順次表示させることによって動画再生を行うためのものである。動作制御部１６２は、ＣＰＵ１１２からの描画命令などの指令に基づいて、ＧＣＬ１１５の各部位における動作を制御するためのものである。画像データ処理部１６３は、可変表示装置４に動画像や静止画像、キャラクタ画像など、各種の画像を表示させるためのデータ処理を実行するためのものである。
【００７６】
ＣＧＲＯＭ１１６は、可変表示装置４にて画像表示を行うための各種画像データを記憶しておくためのものである。具体的には、図１６に示すように、ＣＧＲＯＭ１１６には、キャラクタ画像データ格納領域１１６ａ、動画像データ格納領域１１６ｂ及び台詞画像データ格納領域１１６ｃが設けられている。
【００７７】
キャラクタ画像データ格納領域１１６ａには、可変表示装置４に表示される画像の中でも使用頻度の高いキャラクタ画像データ、具体的には、人物、動物、又は、文字、図形もしくは記号等が予め記憶されている。動画像データ格納領域１１６ｂには、実写によるものを含めた動画像や静止画像が、例えば動き補償符号化などのデジタル符号化方式によりデータ圧縮され、図１７（Ａ）に例示するような複数種類の動画像データとして記憶されている。図１７（Ａ）に示す例では、動画像データ格納領域１１６ｂに、動画像データ＃１〜＃１６の１６種類からなる画像データが格納されている。
【００７８】
動画像データ格納領域１１６ｂに格納されている各動画像データは、図１８に示すようなストリーム構成を有している。各動画像データは、例えば動画像による１単位の遊技演出の種類ごとに１つの動画像ファイルに格納されている。各動画像ファイルは、ファイルヘッダと、少なくとも１つのフレームヘッダ及びフレームごとの圧縮データとを含む。
【００７９】
ここで、１フレーム分の圧縮データは、Ｉピクチャ、Ｐピクチャ、Ｂピクチャのいずれかに分類され、フレームヘッダには、いずれのピクチャの種類を識別するための情報や、各ピクチャの表示順序を指定する情報などが含まれている。Ｉピクチャは、フレーム内符号化によって符号化されているピクチャである。Ｐピクチャは、過去のフレームのみを用いて前方向の動き補償予測を行うピクチャである。Ｂピクチャは、過去及び未来の両方のフレームを用いて双方向の動き補償予測を行うピクチャである。
【００８０】
台詞画像データ格納領域１１６ｃには、可変表示装置４の表示画面に配置された台詞表示エリア４２に台詞となる文字列を表示するための文字列画像データが、図１７（Ｂ）に示すように複数種類格納されている。
【００８１】
また、表示制御基板１２は、図１９に示すように、ランダムカウンタ１３０と、表示制御プロセステーブルメモリ１３１と、予告パターン決定用テーブルメモリ１３２と、フラグメモリ１３３と、連続予告回数メモリ１３４と、連続予告カウンタ１３５と、各種タイマ１３６とを備えている。
【００８２】
ランダムカウンタ１３０は、可変表示装置４による表示内容を決定するために用いられる乱数のカウントを行うためのものである。具体的には、ランダムカウンタ１３０は、図２０に示すようなランダムＲ１０のカウントを行う。ランダムＲ１０は、後述する台詞表示制御プロセステーブルを決定するための乱数であり、「０」〜「９９」の範囲の値をとる。
【００８３】
図１９に示す表示制御プロセステーブルメモリ１３１は、主基板１１から受けた表示制御コマンドに基づいて選択される複数の表示制御プロセステーブルを記憶する。具体的には、表示制御プロセステーブルメモリ１３１は、図２１（Ａ）に示す動画像表示制御プロセステーブルメモリ１３１ａ、図２１（Ｂ）に示す台詞表示制御プロセステーブルメモリ１３１ｂ、図２１（Ｃ）に示す図柄表示制御プロセステーブルメモリ１３１ｃを含んで構成される。
【００８４】
図２１（Ａ）に示す動画像表示制御プロセステーブルメモリ１３１ａは、複数種類の動画像表示制御プロセステーブルを格納する。各動画像表示制御プロセステーブルは、図２２（Ａ）に示すように、動画像表示プロセスタイマ設定値、動画像表示制御データなど、可変表示装置４の表示領域に配置された画像表示エリア４１における動画像の表示状態を制御するためのデータからなり、時系列的にＣＧＲＯＭ１１６の動画像データ格納領域１１６ｂにおける動画像データの読出位置やその動画像データによる動画像の再生時間、動画像の切替タイミング等が設定されている。
【００８５】
図２１（Ｂ）に示す台詞表示制御プロセステーブルメモリ１３１ｂは、複数種類の台詞表示制御プロセステーブルを格納する。各台詞表示制御プロセステーブルは、図２２（Ｂ）に示すように、台詞表示プロセスタイマ設定値、台詞表示制御データなど、可変表示装置４の表示領域に配置された台詞表示エリア４２における文字列画像の表示状態を制御するためのデータからなり、時系列的にＣＧＲＯＭ１１６の台詞画像データ格納領域１１６ｃにおける文字列画像データの読出位置やその文字列画像データによる台詞の表示時間、文字列画像の切替タイミング等が設定されている。ＧＣＬ１１５は、画像データ処理部１６３が台詞表示制御プロセステーブルに従った文字列画像データをＣＧＲＯＭ１１６の台詞画像データ格納領域１１６ｃから読み出し、複数種類の文字列画像を順次生成して台詞表示エリア４２に表示させることで、動画像と連動した台詞の更新表示を行うことができる。
【００８６】
図２１（Ｃ）に示す図柄表示制御プロセステーブルメモリ１３１ｃは、複数種類の図柄表示制御プロセステーブルを格納する。各図柄表示制御プロセステーブルは、図２２（Ｃ）に示すように、図柄表示プロセスタイマ設定値、図柄表示制御データなど、特別図柄の表示状態を制御するためのデータからなり、時系列的に特別図柄の可変表示速度や表示する図柄の大きさ、その表示状態での表示期間、キャラクタの切替タイミング等が設定されている。
【００８７】
予告パターン決定用テーブルメモリ１３２は、連続予告となる予告演出における動画像や文字列画像の表示態様を決定するために設定される複数種類のテーブルを、予告パターン決定用テーブルとして記憶する。具体的には、予告パターン決定用テーブルメモリ１３２は、図２３に示す動画像表示手順決定テーブル１７０、図２４に示す連続予告中台詞決定テーブル１７１、図２５（Ａ）に示すハズレ最終予告時台詞決定テーブル１７２、図２５（Ｂ）に示す大当り最終予告時台詞決定テーブル１７３を格納する。
【００８８】
図２３に示す動画像表示手順決定テーブル１７０は、連続予告を実行しているときに、連続予告回数メモリ１３４に記憶された連続予告の実行回数、及び連続予告カウンタ１３５のカウント値に応じて、今回の特図ゲームにて使用する動画像表示制御プロセステーブルを選択決定できるように設定されている。すなわち、動画像表示手順決定テーブル１７０は、連続予告回数メモリ１３４に記憶されている連続予告の実行回数に対応する設定データ、連続予告カウンタ１３５のカウント値に対応する設定データ、及び選択決定する動画像表示制御パターンを、対応付けて格納する。
【００８９】
図２４に示す連続予告中台詞決定テーブル１７１は、連続予告を実行しているときに、連続予告回数メモリ１３４に記憶されている連続予告の実行回数、及び連続予告カウンタ１３５のカウント値に応じて、今回の特図ゲームにて使用する台詞表示制御プロセステーブルを選択決定できるように設定されている。すなわち、連続予告中台詞決定テーブル１７１は、連続予告回数メモリ１３４に記憶されている連続予告の実行回数に対応する設定データ、連続予告カウンタ１３５のカウント値に対応する設定データ、及び選択決定する台詞表示制御パターンを、対応付けて格納する。
【００９０】
図２５（Ａ）及び図２５（Ｂ）に示す各最終予告時台詞決定テーブル１７２、１７３は、連続予告の最後となる予告演出が行われる特図ゲームで使用する台詞表示制御プロセステーブルを、連続予告回数メモリ１３４に記憶されている連続予告の実行回数、及びランダムＲ１０の値に応じて選択決定できるように設定されている。
【００９１】
ここで、各最終予告時台詞決定テーブル１７２、１７３では、可変表示装置４の表示領域に配置された台詞表示エリア４２に表示される文字列画像の種類に応じて特別図柄の可変表示結果が大当りとなる確率が異なるように、各台詞表示制御プロセステーブルに対して決定用データとしてのランダムＲ１０の値が割り振られている。すなわち、ハズレ最終予告時台詞決定テーブル１７２と、大当り最終予告時台詞決定テーブル１７３とを比べると、各台詞表示制御プロセステーブルに対するランダムＲ１０の値の割当が異なっており、特図ゲームにおいて連続予告が行われた後の表示結果が大当りとなるか否かに応じて、各台詞表示制御プロセステーブルの選択される確率が異なるように設定されている。
【００９２】
図２５に示す例では、２回の特図ゲームにわたり連続して予告演出を行った後にハズレの表示結果を導出表示するとき、２回目の予告演出が行われる特図ゲームで用いられる台詞表示制御プロセステーブルの割合は、台詞Ｂ−５、台詞Ｂ−４、台詞Ｂ−３の順番で、徐々に高くなるように設定されている。また、このときには台詞Ｂ−６の表示制御プロセステーブルが用いられることはない。その一方で、２回の特図ゲームにわたり連続して予告演出を行った後に大当りの表示結果を導出表示するとき、２回目の予告演出が行われる特図ゲームで用いられる台詞表示制御プロセステーブルの割合は、台詞Ｂ−３、台詞Ｂ−４、台詞Ｂ−５、台詞Ｂ−６の順番で、徐々に高くなるように設定されており、表示結果がハズレとなる場合とは逆の順番になっている。このため、２回の特図ゲームにわたり連続した予告演出が行われるときに、２回目の予告演出として台詞Ｂ−６の表示制御プロセステーブルに従った台詞としての文字列画像が台詞表示エリア４２に表示されたときには、その後に導出表示される可変表示結果が必ず大当りとなる。また、２回目の予告演出として台詞Ｂ−５の表示制御プロセステーブルに従った台詞としての文字列画像が台詞表示エリア４２に表示されたときには、台詞Ｂ−３に従った文字列画像が表示されたときよりも、表示結果が大当りとなる確率が高くなる。ＧＣＬ１１５では、画像データ処理部１６３により台詞表示制御プロセステーブルに従った複数種類の文字列画像が順次生成されるので、特図ゲームの表示結果が大当りとなる確率に応じて表示態様が異なる文字列画像が生成されることとなる。
【００９３】
図１９に示すフラグメモリ１３３は、可変表示装置４における表示状態などに応じて各々セットあるいはクリアされる複数種類のフラグを設定するためのものである。例えば、フラグメモリ１３３には、表示制御プロセスフラグ、連続予告フラグ、フェードイン制御フラグ、フェードアウト制御フラグ、フェードイン表示状態フラグ、フェードアウト表示状態フラグ、タイマ割込フラグなどが設けられている。
【００９４】
表示制御プロセスフラグは、後述する表示制御プロセス処理（図３８）において、どの処理を選択・実行すべきかを指示する。連続予告フラグは、主基板１１からの連続予告回数指定コマンドＢ０ＸＸ（ｈ）により連続予告の実行回数が指定されたときにオン状態にセットされる。また、連続予告フラグは、連続予告カウンタ１３５のカウント値が連続予告回数メモリ１３４に記憶されている連続予告の実行回数と同一になったときに、クリアされてオフ状態となる。
【００９５】
フェードイン制御フラグは、フェードイン表示を開始するタイミングにてオン状態にセットされる。フェードイン表示では、動画再生を開始するときに使用されるフレームデータの画像を段階的に出現させる。フェードアウト制御フラグは、フェードアウト表示を開始するタイミングにてオン状態にセットされる。フェードアウト表示では、動画再生の終了時におけるフレームデータの画像を段階的に消滅させる。フェードイン表示状態フラグは、フェードイン表示にて動画再生の開始時における画像が段階的に出現しているあいだ、オン状態にセットされる。フェードアウト表示状態フラグは、フェードアウト表示にて動画再生の終了時における画像が段階的に消滅しているあいだ、オン状態にセットされる。タイマ割込フラグは、所定時間が経過してタイマ割込みが発生するごとにオン状態にセットされる。
【００９６】
連続予告回数メモリ１３４は、連続予告が行われる特図ゲームの実行回数をサブ側で記憶するためのものである。連続予告回数メモリ１３４には、主基板１１からの連続予告回数指定コマンドＢ０ＸＸ（ｈ）により指定された連続予告の実行回数を示す制御データが格納される。連続予告カウンタ１３５は、今回の特図ゲームにて行われる予告演出が連続予告中の何回目に行われる予告演出に該当するかをサブ側にてカウントするためのものである。すなわち、連続予告カウンタ１３５のカウント値は、ＥＸＴデータが００（ｈ）以外である連続予告回数指定コマンドを主基板１１から受けたときに初期値である「１」に設定され、以後、連続予告が行われる特図ゲームにて特別図柄の可変表示を開始するごとに１加算される。
【００９７】
各種タイマ１３６は、可変表示装置４の表示制御に用いられる複数種類のタイマを含んで構成される。例えば、各種タイマ１３６は、動画像表示プロセスタイマ、台詞表示プロセスタイマ、図柄表示プロセスタイマ、可変表示時間タイマ及び監視タイマを含んでいる。動画像表示プロセスタイマは、動画像表示制御プロセステーブルメモリ１３１ａから読み出された動画像表示制御プロセステーブルに設定されているプロセスタイマ値をカウントダウンすることにより、動画像表示制御プロセステーブルによって指定される動画像データに基づく再生画像を表示する期間を計測する。台詞表示プロセスタイマは、台詞表示制御プロセステーブルメモリ１３１ｂから読み出された台詞表示制御プロセステーブルに設定されているプロセスタイマ値をカウントダウンすることにより、台詞表示制御プロセステーブルによって指定される文字列画像データに基づく台詞を表示する期間を計測する。図柄表示プロセスタイマは、図柄表示制御プロセステーブルメモリ１３１ｃから読み出された図柄表示制御プロセステーブルに設定されているプロセスタイマ値をカウントダウンすることにより、特別図柄を図柄表示制御プロセステーブルに設定されている態様で可変表示させる期間を計測する。
【００９８】
また、各種タイマ１３６に含まれる可変表示時間タイマは、特図ゲームの実行時間である可変表示時間をサブ側で計測するためのダウンカウンタである。監視タイマは、可変表示時間タイマがタイムアウトしてからの経過時間を計測するためのものであり、主基板１１から表示制御コマンドを所定時間以上受信しなかったときにタイムアウトする。
【００９９】
図４に示す音声制御基板１３、ランプ制御基板１４は、主基板１１から送信される制御コマンドに基づいて、音声出力制御、ランプ出力制御を、それぞれ主基板１１とは独立して実行するサブ側の制御基板である。払出制御基板１５は、遊技球の貸出や賞球等の払出制御を行うものである。情報端子基板１６は、各種の遊技関連情報を外部に出力するためのものである。
【０１００】
次に、本実施例におけるパチンコ遊技機１の動作（作用）を説明する。図２６は、主基板１１に搭載された遊技制御用マイクロコンピュータ１００が実行する遊技制御メイン処理を示すフローチャートである。主基板１１では、電源基板１０からの電源電圧が供給されると、遊技制御用マイクロコンピュータ１００が起動し、ＣＰＵ１０３が、まず、図２６のフローチャートに示す遊技制御メイン処理を実行する。遊技制御メイン処理を開始すると、ＣＰＵ１０３は、割込禁止に設定した後（ステップＳ１１）、必要な初期設定を行う（ステップＳ１２）。この初期設定では、例えば、ＲＡＭ１０２がクリアされる。また、遊技制御用マイクロコンピュータ１００に内蔵されたＣＴＣ（カウンタ／タイマ回路）のレジスタ設定を行うことにより、定期的（例えば、２ミリ秒ごと）にタイマ割込を発生させる。初期設定が終了すると、割込を許可した後（ステップＳ１３）、ループ処理に入る。
【０１０１】
こうした遊技制御メイン処理の実行により、２ミリ秒ごとに繰り返しタイマ割込が発生するように設定され、タイマ割込が発生すると、ＣＰＵ１０３は、図２７のフローチャートに示す遊技制御割込処理を実行する。
【０１０２】
図２７のフローチャートに示す遊技制御割込処理を開始すると、ＣＰＵ１０３は、まず、所定のスイッチ処理を実行することにより、スイッチ回路１０７を介して各入賞口スイッチ７０から入力される検出信号の状態を判定する（ステップＳ２１）。続いて、所定のエラー処理を実行することにより、パチンコ遊技機１の異常診断を行い、その診断結果に応じて必要ならば警告を発生可能とする（ステップＳ２２）。この後、ランダムカウンタ１２１によりカウントされる判定用乱数であるランダムＲ１を更新する判定用乱数更新処理（ステップＳ２３）と、表示用乱数であるランダムＲ２を更新する表示用乱数更新処理（ステップＳ２４）とを、順次に実行する。
【０１０３】
次に、ＣＰＵ１０３は、特別図柄プロセス処理を実行する（ステップＳ２５）。特別図柄プロセス処理では、遊技状態に応じてパチンコ遊技機１を所定の順序で制御するために、フラグメモリ１２５に設けられた特別図柄プロセスフラグに従って該当する処理が選択されて実行される。特別図柄プロセス処理に続いて、ＣＰＵ１０３は、普通図柄プロセス処理を実行する（ステップＳ２６）。普通図柄プロセス処理では、普通図柄表示器４０を所定の順序で制御するために、所定の普通図柄プロセスフラグに従って該当する処理が選択されて実行される。
【０１０４】
さらに、ＣＰＵ１０３は、所定のコマンド制御処理を実行することにより、主基板１１から表示制御基板１２等のサブ側の制御基板に対して制御コマンドを送出し、遊技状態に合わせた動作制御を指示する（ステップＳ２７）。このコマンド制御処理により主基板１１から送出された表示制御コマンドを表示制御基板１２のＣＰＵ１１２が受け取り、その表示制御コマンドに従って可変表示装置４の表示制御や普通図柄表示器４０の点灯／消灯制御などが行われる。
【０１０５】
また、ＣＰＵ１０３は、所定の情報出力処理を実行することにより、各種出力データの格納領域の内容をＩ／Ｏポート１０４に含まれる各出力ポートに出力する（ステップＳ２８）。この情報出力処理では、主基板１１から情報端子基板１６に、大当り情報、始動情報、確率変動情報などをホール管理用コンピュータに対して出力する指令の送出も行われる。
【０１０６】
続いて、ＣＰＵ１０３は、所定のソレノイド出力処理を実行することにより、所定の条件が成立したときに普通可変入賞球装置６における可動翼片の可動制御や特別可変入賞球装置７における開閉板の開閉駆動を行う（ステップＳ２９）。この後、所定の賞球処理を実行することにより、各入賞口スイッチ７０から入力された検出信号に基づく賞球数の設定などを行い、払出制御基板１５に対して払出制御コマンドを出力可能とする（ステップＳ３０）。
【０１０７】
図２８は、ステップＳ２５にて実行される特別図柄プロセス処理を示すフローチャートである。特別図柄プロセス処理を開始すると、ＣＰＵ１０３は、まず、遊技球が普通可変入賞球装置６に入賞したか否かを、各入賞口スイッチ７０に含まれる始動球検出スイッチから入力される検出信号や、フラグメモリ１２５に設けられた入力状態フラグなどをチェックすることにより、判別する（ステップＳ１００）。遊技球が入賞して始動球検出スイッチからの検出信号がオン状態となった場合（ステップＳ１００；Ｙｅｓ）、入賞処理を実行し（ステップＳ１０１）、遊技球が入賞していない場合（ステップＳ１００；Ｎｏ）、入賞処理をスキップする。
【０１０８】
ステップＳ１０１の入賞処理では、特図保留メモリ１２０の保留数が上限値の４以上であるか否かが判別され、保留数が４以上であれば、今回の入賞による特図ゲームの始動は無効として特に何も行わない。一方、保留数が上限値の４未満である場合には、保留記憶数を１加算するとともに、ランダムカウンタ１２１より大当り判定用のランダムＲ１の値を抽出し、抽出したランダムＲ１の値を特図保留メモリ１２０の空エントリの先頭にセットする。
【０１０９】
この後、ＣＰＵ１０３は、フラグメモリ１２５に格納されている特別図柄プロセスフラグの値に基づいて、図２８に示すステップＳ１１０〜Ｓ１１７の８個の処理のいずれかを選択する。以下に、ステップＳ１１０〜Ｓ１１７の各処理について説明する。
【０１１０】
ステップＳ１１０の特別図柄通常処理は、特別図柄プロセスフラグの値が初期値「０」のときに実行される処理である。この処理において、ＣＰＵ１０３は、図２９に示すように、まず、特図保留メモリ１２０が記憶している保留記憶数が「０」であるか否かを判別する（ステップＳ２０１）。ここで、特図保留メモリ１２０において、保留番号「１」に対応した乱数値等の各種データが記憶されていない場合には、保留記憶数が「０」であると判別される。保留記憶数が「０」であれば（ステップＳ２０１；Ｙｅｓ）、表示制御基板１２を介して可変表示装置４上にデモンストレーション画面を表示するなどして、特別図柄通常処理を終了する。
【０１１１】
ステップＳ２０１において保留記憶数が「０」ではないと判別すると（ステップＳ２０１；Ｎｏ）、フラグメモリ１２５に設けられた連続予告フラグがオンとなっているか否かを判別する（ステップＳ２０２）。連続予告フラグがオフであるときには、図３０のフローチャートに示す大当り・連続予告判定処理を実行する（ステップＳ２０３）。一方、連続予告フラグがオンであるときには、ステップＳ２０３をスキップして、ステップＳ２０４に進む。
【０１１２】
ステップＳ２０３にて大当り・連続予告判定処理を開始すると、ＣＰＵ１０３は、特図保留メモリ１２０の記憶内容をチェックするために用いられる変数ｋの値を初期値「１」に設定する（ステップＳ３０１）。続いて、特図保留メモリ１２０において変数ｋの値と同一の保留番号に格納された設定データを読み取り、変数ｋの値と同一の保留番号に格納されたランダムＲ１の値に基づいた大当り判定が既に行われているか否かを判別する（ステップＳ３０２）。変数ｋの値と同一の保留番号で実行が保留されている特図ゲームの大当り判定が未だ行われていないとき（ステップＳ３０２；Ｎｏ）、ＣＰＵ１０３は、図３２のフローチャートに示す大当り判定処理を実行する（ステップＳ３０３）。一方、変数ｋの値に対応する保留記憶の大当り判定が既に行われているときには（ステップＳ３０２；Ｙｅｓ）、ステップＳ３０３をスキップして、ステップＳ３０４に進む。
【０１１３】
ステップＳ３０３にて大当り判定処理を開始すると、ＣＰＵ１０３は、まず、フラグメモリ１２５に設けられた確変フラグがオンとなっているか否かを判別し（ステップＳ３２１）、オフとなっていれば（ステップＳ３２１；Ｎｏ）、通常遊技状態であると判断して、特図ゲームの表示結果を大当りとするか否かを判定するためのテーブルとして、図９（Ａ）に示すような通常時大当り判定テーブル１４０を設定する（ステップＳ３２２）。これに対して、確変フラグがオンとなっていれば（ステップＳ３２１；Ｙｅｓ）、確率向上状態になっていると判断して、図９（Ｂ）に示すような確変時大当り判定テーブル１４１を設定する（ステップＳ３２３）。
【０１１４】
続いて、ＣＰＵ１０３は、特図保留メモリ１２０にて変数ｋの値と同一の保留番号に格納されているランダムＲ１の値に基づき、ステップＳ３２２又はＳ３２３にて設定された大当り判定テーブル１４０又は１４１を用いて大当りとするか否かを決定する（ステップＳ３２４）。こうして実行条件が成立した可変表示の表示結果を大当り組合せとすることに決定したときには（ステップＳ３２４；Ｙｅｓ）、大当りフラグをオン状態にセットするための設定データを、特図保留メモリ１２０にて変数ｋと同一の保留番号に対応付けて格納する（ステップＳ３２５）。一方、表示結果をハズレとすることに決定したときには（ステップＳ３２４；Ｎｏ）、大当りフラグをオフ状態にセットするための設定データを、特図保留メモリ１２０にて変数ｋと同一の保留番号に対応付けて格納する（ステップＳ３２６）。こうして大当り判定処理を終了すると、図３０に示すステップＳ３０４に進む。
【０１１５】
ステップＳ３０４において、ＣＰＵ１０３は、変数ｋの値が「１」であるか否かを判別する。変数ｋが「１」以外の値であれば（ステップＳ３０４；Ｎｏ）、特図保留メモリ１２０にて変数ｋの値と同一の保留番号に格納された設定データが特図ゲームの表示結果を大当りとするものであるか否かを判別する（ステップＳ３０５）。すなわち、変数ｋの値と同一の保留番号に格納された大当りフラグの設定データが、大当りフラグをオンに設定するためのものである否かを判別する。
【０１１６】
ステップＳ３０５にて変数ｋの値と同一の保留番号に格納された設定データがハズレを指定するとき（ステップＳ３０５；Ｎｏ）、ＣＰＵ１０３は、変数ｋの値を１加算して更新し（ステップＳ３０６）、更新された変数ｋの値と同一の保留番号に対応した保留記憶があるか否かを判別する（ステップＳ３０７）。このとき、特図保留メモリ１２０にて変数ｋの値と同一の保留番号に対応付けてランダムＲ１の値が格納されていれば、保留記憶があるものとして判別する。変数ｋの値と同一の保留番号に対応する保留記憶があるときには（ステップＳ３０７；Ｙｅｓ）、ステップＳ３０２にリターンして、次の保留番号に対応する記憶内容に基づく大当り判定などを行う。
【０１１７】
また、ステップＳ３０７にて変数ｋの値と同一の保留番号に対応する保留記憶がないとき（ステップＳ３０７；Ｎｏ）、ＣＰＵ１０３は、変数ｋの値が「３」以上であるか否かを判別し（ステップＳ３０８）、「３」未満であるときには（ステップＳ３０８；Ｎｏ）、連続予告設定処理を終了する。
【０１１８】
ステップＳ３０５にて変数ｋの値と同一の保留番号に格納された設定データが大当りを指定するとき（ステップＳ３０５；Ｙｅｓ）、ＣＰＵ１０３は、連続予告回数メモリ１２６に変数ｋの値をセットする（ステップＳ３０９）。こうして大当りを指定する設定データが格納された保留番号と同一の変数ｋの値を連続予告回数メモリ１２６にセットすることにより、特図保留メモリ１２０の記憶内容に基づいてステップＳ３０３の大当り判定処理で表示結果を大当りにすると判定されるまでの判定回数を特定することができる。
【０１１９】
ステップＳ３０９に続いて、ＣＰＵ１０３は、連続予告を実行するか否かを判定するためのテーブルとして、図１０（Ｂ）に示す大当り時連続予告判定テーブル１４３を設定する（ステップＳ３１０）。また、ステップＳ３０８にて変数ｋの値が「３」以上であるときには（ステップＳ３０８；Ｙｅｓ）、変数ｋの値から１減算した値を連続予告回数メモリ１２６にセットする（ステップＳ３１１）。これにより、特図保留メモリ１２０における保留記憶数と同一の値が連続予告回数メモリ１２６にセットされて、特図保留メモリ１２０の保留記憶数に対応して実行されたステップＳ３０３の大当り判定処理における大当りとするか否かの判定回数を特定することができる。
【０１２０】
ステップＳ３１１に続いて、ＣＰＵ１０３は、連続予告を実行するか否かを判定するためのテーブルとして、図１０（Ａ）に示すハズレ時連続予告判定テーブル１４２を設定する（ステップＳ３１２）。ステップＳ３１０又はＳ３１２を実行した後、ＣＰＵ１０３は、ランダムカウンタ１２１よりランダムＲ６の値を抽出し（図３１に示すステップＳ３１３）、抽出されたランダムＲ６の値と連続予告回数メモリ１２６に格納されている連続予告を実行する場合の実行回数とに基づき、ステップＳ３１０又はＳ３１２にて設定した連続予告判定テーブル１４２又は１４３を用いて連続予告を実行するか否かの判定を行う（ステップＳ３１４）。
【０１２１】
ここで、図１０（Ａ）に示すハズレ時連続予告判定テーブル１４２、及び図１０（Ｂ）に示す大当り時連続予告判定テーブル１４３を用いることで、連続予告としての予告演出が行われる特図ゲームの実行回数（可変表示回数）に応じて、図３３（Ａ）に示すような確率で連続予告を実行すると判定されることとなる。すなわち、この実施の形態では、保留記憶数が「２」で全てハズレの表示結果となるとき、保留記憶数が「３」で全てハズレの表示結果となるとき、保留記憶数が「４」で全てハズレの表示結果となるときに、いずれも１／１０００の確率で連続予告が実行される。また、保留番号「２」に大当りとする設定データが格納されているときには１／１０の確率で２回の特図ゲームにわたる連続予告が実行され、保留番号「３」に大当りとする設定データが格納されているときには２／５の確率で３回の特図ゲームにわたる連続予告が実行され、保留番号「４」に大当りとする設定データが格納されているときには１９／２０の確率で４回の特図ゲームにわたる連続予告が実行される。
【０１２２】
図３３（Ｂ）は、連続予告としての予告演出が行われる特図ゲームの実行回数に応じた大当り信頼度を示す説明図である。なお、図３３（Ｂ）に示す大当り信頼度は、各可変表示における大当りとなる確率を示す大当り確率が１／３００であるとして算出されたものである。図３３（Ｂ）に示すように、連続予告が２回の特図ゲームにわたり行われたあとの可変表示結果が大当りとなる確率は１／４であり、連続予告が３回の特図ゲームにわたり行われたあとの可変表示結果が大当りとなる確率は４／７であり、連続予告が４回の特図ゲームにわたり行われたあとの可変表示結果が大当りとなる確率は１９／２５である。すなわち、本例では、複数回の特図ゲームにおいて連続して予告演出が行われるときには、より多くの特図ゲームにわたって連続して予告演出が行われるほど、可変表示結果が大当りとなる確率が高くなる。
【０１２３】
ステップＳ３１４にて連続予告を実行しないと判定したときには（ステップＳ３１４；Ｎｏ）、連続予告回数メモリ１２６の記憶内容をクリアする（ステップＳ３１５）。また、このときには、表示制御基板１２に対して「連続予告指定なし」を示す連続予告回数指定コマンドＢ０００（ｈ）を送出するための設定を行う（ステップＳ３１６）。具体的には、連続予告回数指定コマンドＢ０００（ｈ）に対応する制御データを、所定のコマンド送信テーブルに設定するなどして、連続予告回数指定コマンドを表示制御コマンドとして表示制御基板１２に対し送出可能に設定する。
【０１２４】
これに対して、ステップＳ３１４にて連続予告を実行すると判定したときには（ステップＳ３１４；Ｙｅｓ）、フラグメモリ１２５に設けられた連続予告フラグをオン状態にセットするとともに、連続予告カウンタ１２７に「１」をセットする（ステップＳ３１６）。また、このときには、表示制御基板１２に対して連続予告の実行回数を指定するための連続予告回数指定コマンドＢ０ＸＸ（ｈ）を送出するための設定を行う（ステップＳ３１８）。すなわち、連続予告回数メモリ１２６に記憶されている連続予告の実行回数に基づいて連続予告回数指定コマンドのＥＸＴデータを設定し、所定のコマンド送信テーブルに格納するなど、表示制御基板１２に対して送出可能に設定する。このようにして大当り・連続予告判定処理を終了すると、図２９に示すステップＳ２０４に進む。
【０１２５】
ステップＳ２０４において、ＣＰＵ１０３は、特図保留メモリ１２０から保留番号「１」に対応して格納されている乱数値等の各種データを読み出す。この際、特図保留メモリ１２０における保留記憶数を１減算し、かつ、第２〜第４エントリ（保留番号「２」〜「４」）に格納されたデータを１エントリずつ上位にシフトする（ステップＳ２０５）。そして、ステップＳ２０４にて読み出した設定データに基づいて、フラグメモリ１２５に設けられた大当りフラグをオン状態にセット、あるいはクリアしてオフ状態とする設定を行う（ステップＳ２０６）。この後、特別図柄プロセスフラグの値を確定図柄設定処理に対応した値である「１」に更新する（ステップＳ２０７）。
【０１２６】
なお、ステップＳ２０４において特図保留メモリ１２０からのデータ読出を行った後に、読み出したランダムＲ１の値に基づき、図３２のフローチャートに示すものと同様の大当り判定モジュールにより、可変表示結果を大当りとするか否かの判定を行うようにしてもよい。このときには、大当り判定モジュールによる判定結果と、特図保留メモリ１２０から読み出した大当りフラグの設定データとを比較するなどして、特図保留メモリ１２０における記憶内容が適正であるか否かを判定するようにしてもよい。また、フラグメモリ１２５に設けられた確変フラグがオン状態となっているときには、上述したステップＳ２０３の大当り・連続予告判定処理をスキップして、ステップＳ２０４においてデータ読出を行った後に、大当り判定モジュールにより可変表示結果を大当りとするか否かの判定を行うようにしてもよい。これにより、特図保留メモリ１２０により実行が保留されている全ての特図ゲームについて可変表示の開始条件が成立するよりも前に確率向上状態が終了してしまうような場合（例えば確率向上状態において実行可能な特図ゲームの残り可変表示回数が「２」である一方で、特図保留メモリ１２０における保留記憶数が「３」であるような場合）に、ステップＳ３０３の大当り判定処理において、本来であれば通常時大当り判定テーブル１４０を用いて大当り判定を行わなければならない保留記憶について、確変フラグがオン状態となっていることから、確変時大当り判定テーブル１４１を用いて大当り判定が行われてしまうといった不都合を、回避することができる。
【０１２７】
図２８に示すステップＳ１１１の確定図柄設定処理は、特別図柄プロセスフラグの値が「１」のときに実行される処理である。この処理において、ＣＰＵ１０３は、図３４に示すように、まず、フラグメモリ１２５に設けられた大当りフラグがオンとなっているか否かを判別する（ステップＳ２２１）。大当りフラグがオフであるときには（ステップＳ２２１；Ｙｅｓ）、さらに連続予告フラグがオンとなっているか否かを判別する（ステップＳ２２２）。連続予告フラグがオフであるときには（ステップＳ２２２；Ｎｏ）、ランダムカウンタ１２１よりランダムＲ２の値を抽出し（ステップＳ２２３）、リーチとするか否かを決定する（ステップＳ２２４）。例えば、ステップＳ２２３にて抽出したランダムＲ２の値が「１０５」〜「１５３０」のいずれかであるときには、リーチとしないことを決定し、「０」〜「１０４」のいずれかであるときには、リーチとすることを決定する。また、フラグメモリ１２５に設けられた確変フラグがオンとなっているか否かに応じてリーチとするランダムＲ２の値が異なるテーブルを用意しておき、確変フラグの状態に応じて選択したテーブルを用いてリーチとするか否かを決定してもよい。
【０１２８】
ステップＳ２２４にてリーチとしないことを決定したとき（ステップＳ２２４；Ｎｏ）、ＣＰＵ１０３は、フラグメモリ１２５に設けられたリーチ状態フラグをクリアしてオフ状態とする（ステップＳ２２５）。そして、ランダムカウンタ１２１より抽出したランダムＲ４−１の値に基づき、図１２（Ａ）に示す左図柄決定用テーブル１４６を用いて左確定図柄を決定する（ステップＳ２２６）。また、ランダムカウンタ１２１より抽出したランダムＲ４−２の値に基づき、図１２（Ｂ）に示す中図柄決定用テーブル１４７を用いて中確定図柄を決定するとともに（ステップＳ２２７）、ランダムカウンタ１２１より抽出したランダムＲ４−３の値に基づき、図１２（Ｃ）に示す右図柄決定用テーブル１４８を用いて右確定図柄を決定する（ステップＳ２２８）。この後、ステップＳ２４２に進む。
【０１２９】
また、ステップＳ２２４にてリーチとすることを決定したとき（ステップＳ２２４；Ｙｅｓ）、ＣＰＵ１０３は、リーチ状態フラグをオン状態にセットし（ステップＳ２２９）、ランダムカウンタ１２１より抽出したランダムＲ４−１の値に基づき、左図柄決定用テーブル１４６を用いて左確定図柄を決定する（ステップＳ２３０）。また、左確定図柄と同一の図柄番号である特別図柄を右確定図柄とすることを決定し（ステップＳ２３１）、左・右確定図柄とは異なる任意の特別図柄を中確定図柄とすることを決定する（ステップＳ２３２）。この後、ステップＳ２４２に進む。
【０１３０】
上述したステップＳ２２２にて連続予告フラグがオンであると判別したとき（ステップＳ２２２；Ｙｅｓ）、ＣＰＵ１０３は、連続予告カウンタ１２７のカウント値が、連続予告回数メモリ１２６に記憶されている連続予告の実行回数に一致するか否かを判別する（ステップＳ２３３）。ここで、連続予告の最後となる予告演出が行われる特図ゲームの開始条件が成立したときには、連続予告カウンタ１２７のカウント値が連続予告回数メモリ１２６に記憶されている連続予告の実行回数に等しくなる。ステップＳ２３３にて連続予告カウンタ１２７のカウント値が連続予告の実行回数と同一であると判別したときには（ステップＳ２３３；Ｙｅｓ）、上述したステップＳ２２９に進み、リーチ表示態様とするための設定を行う。一方、ステップＳ２３３にて連続予告カウンタ１２７のカウント値が連続予告の実行回数とは異なると判別したときには（ステップＳ２３３；Ｎｏ）、上述したステップＳ２２５に進み、リーチ表示態様とすることなくハズレの可変表示結果を導出表示するための設定を行う。このように、連続予告が行われた後の可変表示結果がハズレとなるときには、リーチ表示態様とした後にハズレの表示結果が導出表示されることとなる。また、連続予告の最終回以外とされる予告演出が行われる特図ゲームでは、リーチ表示態様とすることなくハズレの表示結果が導出表示されることとなる。
【０１３１】
上述したステップＳ２２１にて大当りフラグがオンであると判別したとき（ステップＳ２２１；Ｙｅｓ）、ＣＰＵ１０３は、ランダムカウンタ１２１よりランダムＲ５の値を抽出し（図３５に示すステップＳ２３４）、大当り遊技状態が終了した後に確率向上状態へと移行する確率変動制御を行うか否かを決定する（ステップＳ２３５）。例えば、ランダムカウンタ１２１より抽出したランダムＲ５の値が奇数であるときには確率変動制御を行うことを決定し、偶数であるときには確率変動制御を行わないことを決定する。
【０１３２】
ステップＳ２３５にて確率変動制御を行わないことを決定したとき（ステップＳ２３５；Ｎｏ）、ＣＰＵ１０３は、フラグメモリ１２５に設けられた確変フラグをクリアしてオフ状態とし（ステップＳ２３６）、大当りの可変表示結果となる特別図柄の確定図柄を決定するためのテーブルとして、図１１（Ａ）に示す通常大当り図柄決定用テーブル１４４を設定する（ステップＳ２３７）。また、ステップＳ２３５にて確率変動制御を行うことを決定したときには（ステップＳ２３５；Ｙｅｓ）、確変フラグをオン状態にセットするとともに（ステップＳ２３８）、特別図柄の確定図柄を決定するためのテーブルとして、図１１（Ｂ）に示す確変大当り図柄決定用テーブル１４５を設定する（ステップＳ２３９）。
【０１３３】
ステップＳ２３７又はＳ２３９を実行した後、ＣＰＵ１０３は、ランダムカウンタ１２１よりランダムＲ４−１の値を抽出し（ステップＳ２４０）、抽出されたランダムＲ４−１の値に基づき、ステップＳ２３７又はＳ２３９にて設定した図柄決定用テーブル１４４又は１４５を用いて左・中・右で同一となる大当り用の確定図柄を決定する（ステップＳ２４１）。この後、図３４に示すステップＳ２４２に進む。ステップＳ２４２において、ＣＰＵ１０３は、特別図柄プロセスフラグの値を可変表示パターン設定処理に対応した値である「２」に更新して、確定図柄設定処理を終了する。
【０１３４】
図２８に示すステップＳ１１２の可変表示パターン設定処理は、特別図柄プロセスフラグの値が「２」のときに実行される処理である。この処理において、ＣＰＵ１０３は、図３６に示すように、まず、フラグメモリ１２５に設けられた連続予告フラグがオンとなっているか否かを判別する（ステップＳ２６１）。連続予告フラグがオフであるときには（ステップＳ２６１；Ｎｏ）、大当りフラグがオンとなっているか否かを判別する（ステップＳ２６２）。大当りフラグがオンであるときには（ステップＳ２６２；Ｙｅｓ）、可変表示パターンを選択するためのテーブルとして、図１３（Ｃ）に示す大当り時可変表示パターンテーブル１５１を設定する（ステップＳ２６３）。ステップＳ２６３を実行した後には、ステップＳ２６７に進む。
【０１３５】
ステップＳ２６２にて大当りフラグがオフとなっているとき（ステップＳ２６２；Ｎｏ）、ＣＰＵ１０３は、リーチ状態フラグがオンとなっているか否かを判別する（ステップＳ２６４）。リーチ状態フラグがオフとなっているときには（ステップＳ２６４；Ｎｏ）、今回の特図ゲームで使用する可変表示パターンとして、図１３（Ａ）に示す通常時可変表示パターンテーブル１４９に格納された通常Ａ（ハズレ）の可変表示パターンを選択決定する（ステップＳ２６５）。ステップＳ２６５を実行した後には、ステップＳ２７６に進む。
【０１３６】
ステップＳ２６４にてリーチ状態フラグがオンであると判別したとき（ステップＳ２６４；Ｙｅｓ）、ＣＰＵ１０３は、可変表示パターンを選択するためのテーブルとして、図１３（Ｂ）に示すリーチ時可変表示パターンテーブル１５０を設定する（ステップＳ２６６）。ステップＳ２６３又はＳ２６６を実行した後には、ランダムカウンタ１２１よりランダムＲ２の値を抽出し（ステップＳ２６７）、抽出されたランダムＲ２の値に基づいて、ステップＳ２６３又はＳ２６６にて設定した可変表示パターンテーブルのうちから、今回の特図ゲームで使用する可変表示パターンを決定する（ステップＳ２６８）。ステップＳ２６８を実行した後には、ステップＳ２７６に進む。
【０１３７】
また、ステップＳ２６１にて連続予告フラグがオンであると判別したときには（ステップＳ２６１；Ｙｅｓ）、図３７に示すステップＳ２６９に進み、連続予告カウンタ１２７のカウント値が連続予告回数メモリ１２６に記憶された連続予告の実行回数と同一であるか否かを判別する。連続予告カウンタ１２７のカウント値が連続予告の実行回数と異なるときには（ステップＳ２６９；Ｎｏ）、今回の特図ゲームで使用する可変表示パターンとして、通常時可変表示パターンテーブル１４９に格納された通常Ｂ（ハズレ）の可変表示パターンを選択決定する（ステップＳ２７０）。これにより、連続予告の最終回以外とされる予告演出が行われる特図ゲームでは、非リーチ可変表示パターンとしての通常Ｂ（ハズレ）の可変表示パターンが選択決定されることとなる。ステップＳ２７０にて通常Ｂ（ハズレ）の可変表示パターンを選択決定した後には、連続予告カウンタ１２７のカウント値を１加算し（ステップＳ２７１）、図３６に示すステップＳ２７６に進む。
【０１３８】
ステップＳ２６９にて連続予告カウンタ１２７のカウント値が連続予告の実行回数と同一であると判別したとき（ステップＳ２６９；Ｙｅｓ）、ＣＰＵ１０３は、大当りフラグがオンとなっているか否かを判別し（ステップＳ２７２）、大当りフラグがオンであるときには（ステップＳ２７２；Ｙｅｓ）、大当り時可変表示パターンテーブル１５１に格納されているリーチＡ（大当り）の可変表示パターンを選択決定する（ステップＳ２７３）。これにより、連続予告が行われた後に可変表示結果を大当りとする特図ゲームでは、大当り可変表示パターンとしてのリーチＡ（大当り）の可変表示パターンが選択決定されることとなる。これに対して、ステップＳ２７２にて大当りフラグがオフであるときには（ステップＳ２７２；Ｎｏ）、リーチ時可変表示パターンテーブル１５０に格納されているリーチＡ（ハズレ）の可変表示パターンを選択決定する（ステップＳ２７４）。これにより、連続予告が行われた後に可変表示結果をハズレとする特図ゲームでは、リーチ可変表示パターンとしてのリーチＡ（ハズレ）の可変表示パターンが選択決定されることとなる。
【０１３９】
ステップＳ２７３又はＳ２７４を実行した後、ＣＰＵ１０３は、連続予告フラグをクリアしてオフ状態にするとともに連続予告カウンタ１２７のカウント値を「０」として初期化し（ステップＳ２７５）、図３６に示すステップＳ２７６に進む。この後、ステップＳ２７６において、ＣＰＵ１０３は、特別図柄プロセスフラグの値を可変表示指令処理に対応した値である「３」に更新する。
【０１４０】
図２８に示すステップＳ１１３の可変表示指令処理は、特別図柄プロセスフラグの値が「３」のときに実行される処理である。この処理において、ＣＰＵ１０３は、可変表示装置４において特別図柄の全図柄が可変表示を開始するように制御する。具体的には、上述したステップＳ１１１の確定図柄決定処理にて決定した特別図柄の確定図柄に対応する制御データや、ステップＳ１１２の可変表示パターン設定処理にて決定した可変表示パターンに対応する制御データを、所定のコマンド送信テーブルに設定するなどして、可変表示開始コマンドと左・中・右の図柄指定コマンドを表示制御基板１２に対して送出可能に設定する。そして、可変表示パターンに対応する総可変表示時間を可変表示時間タイマ１２８に設定し、可変表示開始コマンドが送信されるとともにカウントダウンを開始する。この後、可変表示時間タイマ１２８がタイムアウトすると、特別図柄プロセスフラグの値を可変表示停止時処理に対応した値である「４」に更新する。
【０１４１】
ステップＳ１１４の可変表示停止時処理は、特別図柄プロセスフラグの値が「４」のときに実行される処理である。この処理において、ＣＰＵ１０３は、主基板１１から表示制御基板１２に対して特別図柄確定コマンドを送出するための設定を行う。具体的には、特別図柄確定コマンドに対応する制御データを、所定のコマンド送信テーブルに設定するなどして、特別図柄確定コマンドを表示制御基板１２に対して送出可能に設定する。また、パチンコ遊技機１が確率向上状態となっているときには、確率向上状態から通常遊技状態に戻すか否かを判定し、戻すと判定すると、フラグメモリ１２５に設けられた確変フラグをクリアしてオフ状態とし、パチンコ遊技機１における遊技状態を確率向上状態から通常遊技状態に移行させる。そして、可変表示の表示結果が大当りなるときには、特別図柄プロセスフラグの値を大入賞口開放前処理に対応した値である「５」に更新し、ハズレとなるときには、特別図柄プロセスフラグの値を「０」に更新する。
【０１４２】
ステップＳ１１５の大入賞口開放前処理は、特別図柄プロセスフラグの値が「５」のときに実行される処理である。この処理において、ＣＰＵ１０３は、大入賞口としての特別可変入賞球装置７を開放する制御を開始するための設定を行う。そして、特別可変入賞球装置７を開放する制御を開始するとともに、特別図柄プロセスフラグの値を大入賞口開放中処理に対応した値である「６」に更新する。
【０１４３】
ステップＳ１１６の大入賞口開放中処理は、特別図柄プロセスフラグの値が「６」のときに実行される処理である。この処理において、ＣＰＵ１０３は、開成された特別可変入賞球装置７への遊技球の入賞検出、賞球の払出指令、開成時間の計測、及び開成サイクルのラウンド数表示のための表示制御コマンド設定等を行う。そして、例えば、１回の大当りについて、特別可変入賞球装置７の開成回数をカウントし、開成回数が例えば１６回に達していれば、特定遊技状態（大当り遊技状態）を終了する条件が終了したとして特別図柄プロセスフラグの値を大当り終了処理に対応した値である「７」に更新する。一方、開成回数が１６回に達していなければ、特別可変入賞球装置７を一旦閉成した後、所定時間が経過するのを待って再度開成する。
【０１４４】
ステップＳ１１７の大当り終了処理は、特別図柄プロセスフラグの値が「７」のときに実行される処理である。この処理において、ＣＰＵ１０３は、表示制御基板１２に対して所定の大当り終了コマンドを送出するための設定を行うなどして、大当り遊技状態を終了させる。また、ＣＰＵ１０３は、フラグメモリ１２５に設けられた大当り状態フラグをクリアしてオフ状態とする。そして、特別図柄プロセスフラグの値を「０」に更新する。
【０１４５】
次に、表示制御基板１２における特図ゲームの処理について説明する。表示制御基板１２では、ＣＰＵ１１２が、例えばフラグメモリ１３３に設けられたタイマ割込フラグがオンとなったか否かを判別することにより３３ミリ秒毎のタイマ割込発生を検出するなどして、図３８のフローチャートに示す表示制御プロセス処理を開始する。ＣＰＵ１１２は、フラグメモリ１３３に設けられた表示制御プロセスフラグの値に基づいて、図３８に示すステップＳ１５０〜Ｓ１５４の５つの処理のうちのいずれかを選択する。以下に、ステップＳ１５０〜Ｓ１５４の各処理について説明する。
【０１４６】
ステップＳ１５０の可変表示開始コマンド受信待ち処理は、表示制御プロセスフラグの値が初期値「０」のときに実行される処理である。この処理において、ＣＰＵ１１２は、図３９に示すように、まず、主基板１１からの可変表示開始コマンド８０ＸＸ（ｈ）を受信したか否かを判別する（ステップＳ４０１）。可変表示開始コマンドを受信していないときには（ステップＳ４０１）、そのまま可変表示開始コマンド受信待ち処理を終了する。
【０１４７】
ステップＳ４０１にて可変表示開始コマンドを受信したと判別したとき（ステップＳ４０１）、ＣＰＵ１１２は、主基板１１からの連続予告回数指定コマンドＢ０ＸＸ（ｈ）にて連続予告の実行回数が指定されたか否かを判別する（ステップＳ４０２）。例えば、図６（Ｂ）に示す連続予告回数指定コマンドの内容に基づき、主基板１１からの連続予告回数指定コマンドにおけるＥＸＴデータが００（ｈ）である場合には、連続予告の実行回数が指定されていないと判別し、ＥＸＴデータが０１（ｈ）〜０３（ｈ）のいずれかである場合には、連続予告の実行回数が指定されたと判別する。連続予告の実行回数が指定されていないと判別したときには（ステップＳ４０２；Ｎｏ）、ステップＳ４０５に進む。
【０１４８】
ステップＳ４０２にて連続予告の実行回数が指定されたと判別したとき（ステップＳ４０２；Ｙｅｓ）、ＣＰＵ１１２は、フラグメモリ１３３に設けられた連続予告フラグをオン状態にセットする（ステップＳ４０３）。また、連続予告回数指定コマンドのＥＸＴデータにより指定された連続予告の実行回数を連続予告回数メモリ１３４に記憶するとともに、連続予告カウンタ１３５のカウント値を「１」にセットする（ステップＳ４０４）。この後、ステップＳ４０５に進み、表示制御プロセスフラグの値を表示制御設定処理に対応した値である「１」に更新する。
【０１４９】
図３８に示すステップＳ１５１の表示制御設定処理は、表示制御プロセスフラグの値が「１」のときに実行される処理である。図４０は、ステップＳ１５１にて実行される表示制御設定処理を示すフローチャートである。この処理において、ＣＰＵ１１２は、まず、フラグメモリ１３３に設けられた連続予告フラグがオンとなっているか否かを判別する（ステップＳ４２１）。連続予告フラグがオフであるときには（ステップＳ４２１；Ｎｏ）、ステップＳ４２７に進む。
【０１５０】
ステップＳ４２１にて連続予告フラグがオンであると判別したとき（ステップＳ４２１；Ｙｅｓ）、ＣＰＵ１１２は、連続予告回数メモリ１３４に記憶されている連続予告の実行回数、及び連続予告カウンタ１３５のカウント値に基づき、図２３に示す動画像表示手順決定テーブル１７０を用いて今回の特図ゲームで使用する動画像表示制御プロセステーブルを選択決定する（ステップＳ４２２）。各動画像表示制御プロセステーブルには、ＣＧＲＯＭ１１６の動画像データ格納領域１１６ｂにおける動画像データの読出位置を指定する表示制御データなどが設定されている。ここで、動画像データの読出位置としては、例えば動画像データ格納領域１１６ｂの記憶アドレスや動画像データを格納するファイル名、動画像データのストリームごとに割り当てられた識別番号などを指定しておけばよい。従って、ＣＰＵ１１２は、ステップＳ４２２にて選択決定した動画像表示制御プロセステーブルを参照することにより、動画像の再生期間（再生位置）を決定することができる。
【０１５１】
ステップＳ４２２にて動画像表示制御プロセステーブルを選択決定した後、ＣＰＵ１１２は、図４１のフローチャートに示す台詞表示手順決定処理を実行する（ステップＳ４２３）。この台詞表示手順決定処理を開始すると、まず、連続予告カウンタ１３５のカウント値が連続予告回数メモリに記憶されている連続予告の実行回数と同一であるか否かを判別する（ステップＳ５０１）。連続予告カウンタ１３５のカウント値が連続予告の実行回数とは異なるときには（ステップＳ５０１；Ｎｏ）、可変表示の開始条件が成立した特図ゲームにて連続予告の最終回以外とされる予告演出を行うと判断して、連続予告回数メモリ１３４に記憶されている連続予告の実行回数、及び連続予告カウンタ１３５のカウント値に基づき、図２４に示す連続予告中台詞決定テーブル１７１を用いて今回の特図ゲームで使用する台詞表示制御プロセステーブルを選択決定する（ステップＳ５０２）。
【０１５２】
これに対して、ステップＳ５０１にて連続予告カウンタ１３５のカウント値が連続予告の実行回数と同一であると判別したとき（ステップＳ５０１；Ｙｅｓ）、ＣＰＵ１１２は、可変表示の開始条件が成立した特図ゲームにて連続予告の最後となる予告演出を行うと判断して、可変表示開始コマンド８０ＸＸ（ｈ）により指定された可変表示パターンの種類などに基づき、今回の特図ゲームにおける可変表示結果を大当りとするか否かを判別する（ステップＳ５０３）。そして、表示結果をハズレにすると判別したときには（ステップＳ５０３；Ｎｏ）、今回の特図ゲームで使用する台詞表示制御プロセステーブルを決定するためのテーブルとして、図２５（Ａ）に示すハズレ最終予告時台詞決定テーブル１７２を設定し（ステップＳ５０４）、表示結果を大当りにすると判別したときには（ステップＳ５０３；Ｙｅｓ）、図２５（Ｂ）に示す大当り最終予告時台詞決定テーブル１７３を設定する（ステップＳ５０５）。
【０１５３】
ステップＳ５０４又はＳ５０５を実行した後、ＣＰＵ１１２は、ランダムカウンタ１３０よりランダムＲ１０の値を抽出し（ステップＳ５０６）、抽出されたランダムＲ１０の値に基づき、ステップＳ５０４又はＳ５０５にて設定した最終予告時台詞決定テーブル１７２又は１７３を用いて台詞表示制御プロセステーブルを選択決定する（ステップＳ５０７）。
【０１５４】
ここで、図２５（Ａ）に示すハズレ最終予告時台詞決定テーブル１７２、及び図２５（Ｂ）に示す大当り最終予告時台詞決定テーブル１７３を用いることで、各最終予告時台詞決定テーブル１７２、１７３で指定された各々の台詞表示制御プロセステーブルが図４２に示すような確率で選択されることとなる。また、図４２には、台詞表示制御プロセステーブルに従った台詞表示態様ごとの大当り信頼度も示されている。この台詞表示態様ごとの大当り信頼度は、図３３（Ｂ）に示す連続予告の実行回数ごとの大当り信頼度に基づいて算出されたものである。図４２に示すように、２回の特図ゲームにわたる連続予告の最後となる予告演出として、台詞Ｂ−３の表示制御プロセステーブルに従った文字列画像が表示された後の可変表示結果が大当りとなる確率は１／３１であり、台詞Ｂ−４の表示制御プロセステーブルに従った文字列画像が表示された後の可変表示結果が大当りとなる確率は１／７であり、台詞Ｂ−５の表示制御プロセステーブルに従った文字列画像が表示された後の可変表示結果が大当りとなる確率は１／３であり、台詞Ｂ−６の表示制御プロセステーブルに従った文字列画像が表示された後の可変表示結果が大当りとなる確率は１である。すなわち、本例では、台詞Ｂ−３、台詞Ｂ−４、台詞Ｂ−５、台詞Ｂ−６の順番で、徐々に大当り信頼度が高くなっている。そして、台詞Ｂ−６のときには、必ず大当りとなる。
【０１５５】
また、３回の特図ゲームにわたる連続予告の最後となる予告演出として台詞を表示するための表示制御プロセステーブルは、台詞Ｃ−２、台詞Ｃ−３、台詞Ｃ−４、台詞Ｃ−５の順番で、徐々に大当り信頼度が高くなるように設定されている。４回の特図ゲームにわたる連続予告の最後となる予告演出として台詞を表示するための表示制御プロセステーブルは、台詞Ｄ−１、台詞Ｄ−２、台詞Ｄ−３、台詞Ｄ−４の順番で、徐々に大当り信頼度が高くなるように設定されている。このようにハズレ最終予告時台詞決定テーブル１７２及び大当り最終予告時台詞決定テーブル１７３では、予告演出として表示される台詞の種類ごとに特図ゲームの可変表示結果が大当りとなる確率が異なるように、決定用データであるランダムＲ１０の値が各台詞表示制御プロセステーブルに対して割り振られている。従って、ハズレ最終予告時台詞決定テーブル１７２及び大当り最終予告時台詞決定テーブル１７３を用いて台詞表示制御プロセステーブルを選択決定することにより、同一の動画像データを用いた動画再生を行うときでも、可変表示装置４の表示画面に配置された台詞表示エリア４２にて表示される文字列画像の種類を異ならせることができる。また、台詞表示エリア４２に表示される文字列画像の種類に応じて、特図ゲームの表示結果が大当りとなる確率は異なるものとなる。こうして台詞表示手順決定処理が終了すると、図４０に示すステップＳ４２４に進む。
【０１５６】
ステップＳ４２４において、ＣＰＵ１１２は、連続予告カウンタ１３５のカウント値が連続予告回数メモリ１３４に記憶されている連続予告の実行回数と同一となったか否かを判別し（ステップＳ４２４）、同一となったときには（ステップＳ４２４；Ｙｅｓ）、フラグメモリ１３３に設けられた連続予告フラグをクリアしてオフ状態にするとともに連続予告カウンタ１３５のカウント値を「０」として初期化する（ステップＳ４２５）。また、連続予告カウンタ１３５のカウント値が連続予告の実行回数と異なるときには（ステップＳ４２４；Ｎｏ）、連続予告カウンタ１３５のカウント値を１加算する（ステップＳ４２６）。
【０１５７】
続いて、ＣＰＵ１１２は、例えば所定の図柄表示制御プロセス選択用乱数を抽出した結果等に基づいて、可変表示パターンに応じた図柄表示制御プロセステーブルを選択決定し、図柄表示制御プロセステーブルメモリ１３１ｃから読み出す（ステップＳ４２７）。そして、ＧＣＬ１１５に対して可変表示装置４における特別図柄の可変表示を開始するための表示制御指令を送出し、（ステップＳ４２８）、各種タイマ１３６に設けられた可変表示時間タイマによる可変表示時間の計測をスタートさせる（ステップＳ４２９）。そして、表示制御プロセスフラグの値を可変表示中処理に対応した値である「２」に更新する（ステップＳ４３０）。
【０１５８】
図３８に示すステップＳ１５２の可変表示中処理は、表示制御プロセスフラグの値が「２」のときに実行される処理である。図４３は、ステップＳ１５２にて実行される可変表示中処理を示すフローチャートである。この可変表示中処理において、ＣＰＵ１１２は、まず、図４４のフローチャートに示す動画像表示制御処理を実行する（ステップＳ４４１）。
【０１５９】
動画像表示制御処理において、ＣＰＵ１１２は、各種タイマ１３６に設けられた動画像表示プロセスタイマがタイムアウトしたか否かを判別し（ステップＳ５２１）、タイムアウトしていないと判別したときには（ステップＳ５２１；Ｎｏ）、ステップＳ５３０に進む。一方、動画像表示プロセスタイマがタイムアウトしたときには（ステップＳ５２１；Ｙｅｓ）、図２２（Ａ）に示すような動画像表示制御プロセステーブルにおける読み出し位置を切り替える（ステップＳ５２２）。すなわち、動画像表示制御プロセステーブルにおいて、次に設定されている動画像表示プロセスタイマ設定値を動画像表示プロセスタイマにセットするとともに、次に設定されている動画像表示制御データに基づいて、フラグメモリ１３３に設けられたフェードイン制御フラグやフェードアウト制御フラグをセットあるいはクリアする（ステップＳ５２３）。
【０１６０】
また、ＣＰＵ１１２は、動画像表示制御プロセステーブルに設定されている動画像表示制御データに基づいて、所定の静止画像表示タイミングとなったか否かを判定する（ステップＳ５２４）。ここで、静止画像表示タイミングは、可変表示装置４の表示領域に設けられた画像表示エリア４１における表示画像の変化が所定期間ないような場面に予め設定されている。そして、予め定められている静止表示時間に対応するタイマ設定値は、動画像表示プロセスタイマ設定値として動画像表示制御プロセステーブルに設定されている。
【０１６１】
静止画像表示タイミングとなったとき（ステップＳ５２４；Ｙｅｓ）、ＣＰＵ１１２は、ＧＣＬ１１５に対して動画再生の中断指令を送出し（ステップＳ５２５）、静止画の描画指令を送出する（ステップＳ５２６）。ＧＣＬ１１５は、ＣＰＵ１１２からの指令に応じてＶＲＡＭ１１７上に展開された静止表示対象ピクチャの画像データに基づき、可変表示装置４の表示領域に設けられた画像表示エリア４１に、静止表示対象画像を表示させる。ここで、静止表示対象ピクチャは、動画像データに含まれている予め定められた１フレーム分の画像データに基づいて再生される。そして、１フレーム分の画像データに基づく画像表示が繰り返し実行されることで、同一画像が所定期間継続して表示されることになり、動画像データに含まれている画像データを用いた静止表示が実現される。ステップＳ５２６の後には、ステップＳ５２９に進む。
【０１６２】
また、ステップＳ５２４にて静止画像表示タイミングではないと判別したとき（ステップＳ５２４；Ｎｏ）、ＣＰＵ１１２は、所定の動画再生開始タイミングとなったか否かを判定する（ステップＳ５２７）。ここでの動画再生開始タイミングとしては、例えば、動画再生を開始するときに使用されるフレームデータの画像をフェードイン表示により段階的に出現させた後のタイミングや、静止表示対象画像を所定時間表示させた後に動画像表示プロセスタイマがタイムアウトしたタイミングなどが、動画像表示制御プロセステーブルにて予め設定されている。
【０１６３】
動画再生開始タイミングとなったとき（ステップＳ５２７；Ｙｅｓ）、ＣＰＵ１１２は、ＧＣＬ１１５に対して動画の再生開始指令を送出することにより（ステップＳ５２８）、画像表示エリア４１における動画像の再生表示を開始させる。ＧＣＬ１１５では、動作制御部１６２がＣＰＵ１１２から送出された動画の再生開始指令を受けて、データ伸長部１６０、データ再生部１６１、画像データ処理部１６３の動作を制御することにより、動画像の再生表示を開始する。
【０１６４】
すなわち、データ伸長部１６０は、ＣＧＲＯＭ１１６の動画像データ格納領域１１６ｂから動き補償予測符号化によりデータ圧縮された動画像データを読み出し、所定の復号化処理を実行するなどして、データ圧縮されている動画像データを伸長する。データ再生部１６１は、データ伸長部１６０により伸長された動画像データを、画像データ処理部１６３によりＶＲＡＭ１１７上に展開するなどして、動画像データに基づく画像を順次生成する。例えば、データ再生部１６１は、ＶＲＡＭ１１７に格納されている所定の展開領域指定ポインタが指定するＶＲＡＭ１１７上の展開領域に、データ伸長部１６０により伸長された動画像データをフレーム単位で展開する。画像データ処理部１６３は、ＶＲＡＭ１１７上の展開領域に展開されているフレームデータを用いて、可変表示装置４の表示領域内に設定されている画像表示エリア４１に画像を順次表示する。これにより、可変表示装置４では、画像表示エリア４１にて動画の再生表示が行われる。
【０１６５】
ステップＳ５２７にて動画再生開始タイミングではないと判別したときには（ステップＳ５２７；Ｎｏ）、ステップＳ５２８をスキップしてステップＳ５２９に進む。ステップＳ５２９において、ＣＰＵ１１２は、ステップＳ５２３にてタイマ設定値がセットされた動画像表示プロセスタイマをスタートさせ、ステップＳ５３０に進む。そして、ステップＳ５３０において、フラグメモリ１３３に設けられたフェードイン制御フラグがオンとなっているか否かを判別し、オンとなっているときには（ステップＳ５３０；Ｙｅｓ）、図４５のフローチャートに示すフェードイン処理を実行する（ステップＳ５３１）。一方、フェードイン制御フラグがオフであるときには（ステップＳ５３０；Ｎｏ）、フェードアウト制御フラグがオンとなっているか否かを判別する（ステップＳ５３２）。
【０１６６】
フェードアウト制御フラグがオンとなっているとき（ステップＳ５３２；Ｙｅｓ）、ＣＰＵ１１２は、図４８のフローチャートに示すフェードアウト処理を実行する（ステップＳ５３３）。これに対して、フェードアウト制御フラグもオフであるときには（ステップＳ５３２；Ｎｏ）、そのまま動画像表示制御処理を終了する。
【０１６７】
図４５のフローチャートに示すフェードイン処理では、動画像による演出に切り替わる際に、フェードイン対象画像の透明度（透過度）を徐々に低下させていくようにして、フェードイン対象画像が徐々にはっきりと現れるようにするための処理が実行される。なお、フェードイン対象画像には、例えば、演出に用いられる動画像のうち最初に表示される画像が設定される。
【０１６８】
フェードイン処理を開始すると、ＣＰＵ１１２は、まず、フラグメモリ１３３に設けられたフェードイン表示状態フラグがオンとなっているか否かを判別する（ステップＳ５４１）。そして、フェードイン表示状態フラグがオンであるときには（ステップＳ５４１；Ｙｅｓ）、ステップＳ５４５に進む。
【０１６９】
一方、フェードイン表示状態フラグがオフであるときには（ステップＳ５４１；Ｎｏ）、フェードイン対象画像を出現させるためのデスティネーションデータの指定を行う（ステップＳ５４２）。ここでのデスティネーションデータとしては、例えば動画再生を開始するときに使用される１フレーム分のフレームデータが、動画像表示制御プロセステーブルにて指定されている。ＣＰＵ１１２は、例えば、ＣＧＲＯＭ１１６の動画像データ格納領域１１６ｂにおけるデスティネーションデータの読出位置を指定する描画指令を、ＧＣＬ１１５に対して送出する。
【０１７０】
続いて、ＣＰＵ１１２は、ソース画像及びフェードイン対象画像における透明度を変化させるために用いられるパラメータＮに対して、初期値「０」を設定し（ステップＳ５４３）、フェードイン表示状態フラグをオン状態にセットする（ステップＳ５４４）。ここでのソース画像としては、例えば可変表示装置４の画面上に背景として表示されている静止画像などを、動画像表示制御プロセステーブルの動画像表示制御データにて指定しておけばよい。そして、ＧＣＬ１１５に対して、半透明処理による描画指令を送出する（ステップＳ５４５）。
【０１７１】
ＣＰＵ１１２から半透明処理による描画指令を受けたＧＣＬ１１５は、半透明演算処理を実行することによってフェードイン画像を作成する。この実施の形態では、フェードイン画像を作成するための半透明演算処理として、図４６に示すような演算を行う。半透明演算処理では、ソース画像における各ピクセルデータ（各ピクセルの表示色を特定するためのＲ、Ｇ、Ｂデータ）のそれぞれについて、表示位置が同一となるデスティネーションデータ内の各ピクセルデータを用いた演算処理が行われる。半透明演算処理によって得られた各ピクセルデータは、フェードイン画像のピクセルデータとして用いられる。なお、演算結果が整数にならない場合には、小数点以下を切り捨てるなどの処理を行うことによって整数になるようにすればよい。
【０１７２】
続いて、パラメータＮの値が「３２」となったか否かを判別し（ステップＳ５４６）、「３２」以外の値であるときには（ステップＳ５４６；Ｎｏ）、パラメータＮの値を１加算する（ステップＳ５４７）。一方、パラメータＮの値が「３２」であるときには（ステップＳ５４６；Ｙｅｓ）、フェードイン表示状態フラグをクリアしてオフ状態にするとともに（ステップＳ５４８）、フェードイン制御フラグをクリアしてオフ状態とする（ステップＳ５４９）。
【０１７３】
このようにして、この実施の形態では、フェードイン画像が、ソース画像となる静止画像などから、デスティネーションデータの画像となるフェードイン対象画像へと向けて、３３段階で変化することとなる。なお、この例では、透明度を３３段階にしているが、他の複数段階とするようにしてもよい。その場合、パラメータＮの取り得る値を変更する（２００段階であれば「０」から「１９９」を取るようにする）とともに、その値に合わせて図４６に示す数式内の数値「３２」を変更（２００段階であれば「１９９」に変更）すればよい。また、デスティネーションデータとして、中間画像として予め定められている画像データを設定し、中間画像の透明度が「０」となった後に、その中間画像をソース画像に設定するとともにフェードイン対象画像のフレームデータをデスティネーションデータとして、再度フェードイン画像を得るようにしてもよい。所定の中間画像を介して段階的に画像を出現させることで、徐々に画像が現れてくる様子を容易に視認することができる。
【０１７４】
こうしたフェードイン処理は、図４４のフローチャートに示す動画像表示制御処理のステップＳ５３１にて繰り返し呼び出される。そして、ＧＣＬ１１５では、動画像表示制御処理が呼び出されるごとに１ずつ増加するように更新されるパラメータＮの値を用いた半透明演算処理が実行される。この半透明演算処理を実行することで、例えば画像データ処理部１６３が、動画再生を開始するときに使用されるフレームデータから透明度を段階的に高めるとともに、ソース画像となる静止画像又は中間画像の透明度を段階的に低くしていった複数のフェードイン画像を生成する。そして、ＣＰＵ１１２は、フェードイン処理を実行するごとに、ＧＣＬ１１５により透明度が最も高められているフェードイン画像から、透明度がより低いフェードイン画像に順次移行させ、フェードイン対象画像の透明度が徐々に低下していくフェードイン表示が行われることになる。そして、最終的に、フェードイン対象画像が、全く透明化されていない完全な状態で表示される。その後、フェードイン対象画像を最初の画像とする動画像の再生が実行される。
【０１７５】
図４７は、フェードイン処理が実行されるときにおける可変表示装置４の表示状態例を示す説明図である。フェードイン画像による演出を実行する場合には、図４７（Ａ）に示すように、始めに左・中・右の可変表示部４ａ〜４ｃに表示される特別図柄を縮小して左上部などへ移動させておく。そして、図４７（Ａ）に示すようなソース画像から図４７（Ｂ）及び図４７（Ｃ）に示すようにフェードイン対象画像が徐々にはっきりと出現するフェードイン画像が表示される。そして、最終的には、図４７（Ｄ）に示すように、フェードイン画像として、全く透明化されていないフェードイン対象画像が表示される。このときには、可変表示装置４の表示画面に、画像表示エリア４１と、台詞表示エリア４２とが配置されることとなる。
【０１７６】
図４７（Ｄ）に示す不透明化されたフェードイン対象画像が表示されてフェードイン表示が完了すると、そのフェードイン対象画像を初期画像とする動画像による演出が開始される。このように、動画像データに含まれている１フレーム分の画像データを用いてフェードイン表示を行うことで、動画像データのデータ量が増大することなく、多様な演出表示が可能となる。
【０１７７】
また、図４８のフローチャートに示すフェードアウト処理では、動画像による演出が終了した後に、フェードアウト対象画像の透明度を徐々に高めていくようにして、フェードアウト対象画像が徐々に消失していくようにするための処理が実行される。なお、フェードアウト対象画像には、例えば、演出に用いられる動画像のうち最後に表示される画像が設定される。
【０１７８】
フェードアウト処理を開始すると、ＣＰＵ１１２は、まず、フラグメモリ１３３に設けられたフェードアウト表示状態フラグがオンとなっているか否かを判別する（ステップＳ５６１）。そして、フェードアウト表示状態フラグがオンであるときには（ステップＳ５６１；Ｙｅｓ）、ステップＳ５６５に進む。
【０１７９】
一方、フェードアウト表示状態フラグがオフであるときには（ステップＳ５６１；Ｎｏ）、フェードアウト対象画像を消失させるためのデスティネーションデータの指定を行う（ステップＳ５６２）。ここでのデスティネーションデータとしては、例えば動画再生の終了時における１フレーム分のフレームデータが動画像表示制御プロセステーブルにて指定されている。ＣＰＵ１１２は、例えば、ＣＧＲＯＭ１１６の動画像データ格納領域１１６ｂにおけるデスティネーションデータの読出位置を指定する描画指令を、ＧＣＬ１１５に対して送出する。
【０１８０】
続いて、ＣＰＵ１１２は、ソース画像及びフェードアウト対象画像における透明度を変化させるために用いられるパラメータＮに対して、初期値「３２」を設定し（ステップＳ５６３）、フェードアウト表示状態フラグをオン状態にセットする（ステップＳ５６４）。そして、ＧＣＬ１１５に対して、半透明処理による描画指令を送出する（ステップＳ５６５）。
【０１８１】
ＣＰＵ１１２から半透明処理による描画指令を受けたＧＣＬ１１５は、半透明演算処理を実行することによってフェードアウト画像を作成する。この実施の形態では、フェードアウト画像を作成するための半透明演算処理として、フェードイン画像を作成するときと同様に、図４６に示すような演算を行う。半透明演算処理では、ソース画像における各ピクセルデータ（各ピクセルの表示色を特定するためのＲ、Ｇ、Ｂデータ）のそれぞれについて、表示位置が同一となるデスティネーションデータ内の各ピクセルデータを用いた演算処理が行われる。半透明演算処理によって得られた各ピクセルデータは、フェードアウト画像のピクセルデータとして用いられる。なお、演算結果が整数にならない場合には、小数点以下を切り捨てるなどの処理を行うことによって整数になるようにすればよい。
【０１８２】
続いて、パラメータＮの値が「０」となったか否かを判別し（ステップＳ５６６）、「０」以外の値であるときには（ステップＳ５６６；Ｎｏ）、パラメータＮの値を１減算する（ステップＳ５６７）。一方、パラメータＮの値が「０」であるときには（ステップＳ５６６；Ｙｅｓ）、フェードアウト表示状態フラグをクリアしてオフ状態にするとともに（ステップＳ５６８）、フェードアウト制御フラグをクリアしてオフ状態とする（ステップＳ５６９）。
【０１８３】
このようにして、この実施の形態では、フェードイン表示のときとは逆の手順で、フェードアウト画像が、デスティネーションデータの画像となるフェードアウト対象画像から、ソース画像となる静止画像へと向けて、３３段階で変化することとなる。こうしたフェードアウト処理は、図４４のフローチャートに示す動画像表示制御処理のステップＳ５３３にて繰り返し呼び出される。そして、ＧＣＬ１１５では、動画像表示制御処理が呼び出されるごとに１ずつ減少するように更新されるパラメータＮの値を用いた半透明演算処理が実行される。この半透明演算処理を実行することで、例えば画像データ処理部１６３が、動画再生を終了するときに使用されるフレームデータから透明度を段階的に高めるとともに、ソース画像となる静止画像又は中間画像の透明度を段階的に低くしていった複数のフェードアウト画像を生成する。そして、ＣＰＵ１１２は、フェードアウト処理を実行するごとに、ＧＣＬ１１５により動画再生の終了時におけるフレームデータの画像から、透明度がより高められているフェードアウト画像に順次移行させ、フェードアウト対象画像の透明度が徐々に高められていくフェードアウト表示が行われることになる。そして、最終的に、フェードアウト対象画像が完全に透明化され、ソース画像となる静止画像又は中間画像が表示された状態となる。これにより、動画像による遊技演出が終了し、例えば、静止画像による演出が開始される。
【０１８４】
図４９は、フェードアウト処理が実行されるときにおける可変表示装置４の表示状態例を示す説明図である。フェードアウト画像による演出を実行する場合には、図４９（Ａ）に示すように、始めに左・中・右の可変表示部４ａ〜４ｃに表示される特別図柄が縮小された状態で左上部などに表示されており、可変表示装置４の表示画面には画像表示エリア４１と台詞表示エリア４２とが配置されている。そして、図４９（Ａ）に示すような動画像による演出表示が停止した表示から、図４９（Ｂ）及び図４９（Ｃ）に示すようにフェードアウト対象画像が徐々に視認しにくい状態となっていくフェードアウト画像の表示へと移行する。そして、最終的には、図４９（Ｄ）に示すように、フェードアウト画像として、フェードアウト対象画像が完全に透明化され、ソース画像である静止画像が表示された状態となる。このときには、可変表示装置４の表示画面に配置されていた画像表示エリア４１と台詞表示エリア４２も消失する。
【０１８５】
図４９（Ｄ）に示す静止画像と同一のフェードアウト画像が表示されてフェードアウト表示が完了すると、例えば静止画像による演出など、その後の演出が開始される。なお、フェードアウト表示が終了したことによって演出が終了するようにしてもよい。例えば、可変表示装置４の表示画面で左上部に縮小表示されていた左・中・右の可変表示部４ａ〜４ｃにおける特別図柄を、図２（Ａ）に示すように、表示画面の中央部にて通常の表示状態に戻し、中可変表示部４ｂにて可変表示されている特別図柄の確定図柄を導出表示するようにしてもよい。このように、動画像データに含まれている１フレーム分の画像データを用いてフェードアウト表示を行うことで、動画像データのデータ量が増大することなく、多様な演出表示が可能となる。
【０１８６】
以上のようなフェードイン処理やフェードアウト処理が含まれた動画像表示制御処理を終了すると、ＣＰＵ１１２は、続いて、図５０のフローチャートに示す台詞画像表示制御処理を実行する（図４３に示すステップＳ４４２）。台詞画像表示制御処理では、台詞表示エリア４２に文字列画像を順次表示して台詞を更新表示するための処理が実行される。
【０１８７】
台詞画像表示制御処理を開始すると、ＣＰＵ１１２は、まず、各種タイマ１３６に設けられた台詞表示プロセスタイマがタイムアウトしたか否かを判別する（ステップＳ５７１）。台詞表示プロセスタイマがタイムアウトしていないときには（ステップＳ５７１；Ｎｏ）、そのまま台詞表示制御処理を終了する。これに対して、台詞表示プロセスタイマがタイムアウトしたときには（ステップＳ５７１；Ｙｅｓ）、図２２（Ｂ）に示すような台詞表示制御プロセステーブルにおける読出位置を切り替える（ステップＳ５７２）。すなわち、台詞表示制御プロセステーブルにおいて、次に設定されている台詞表示プロセスタイマ設定値を台詞表示プロセスタイマにセットするとともに、次に設定されている台詞表示制御データに基づく文字列画像データの読出制御など行う。
【０１８８】
ここで、台詞表示制御プロセステーブルに設定された台詞表示制御データには、図１７（Ｂ）に示すようなＣＧＲＯＭ１１６の台詞画像データ格納領域１１６ｃにおける文字列画像データの記憶アドレスを示す設定データなどが含まれている。ＣＰＵ１１２は、この台詞表示制御データに従って、ＧＣＬ１１５に対して文字列画像の表示指令を送出することにより（ステップＳ５７３）、台詞表示エリア４２における台詞の更新表示を行わせる。続いて、ＣＰＵ１１２は、ステップＳ５７２にてタイマ設定値がセットされた台詞表示プロセスタイマをスタートさせ（ステップＳ５７４）、台詞画像表示制御処理を終了する。
【０１８９】
このような台詞画像表示制御処理により、ＧＣＬ１１５では、画像データ処理部１６３がＣＰＵ１１２からの表示指令に従ってＣＧＲＯＭ１１６の台詞画像データ格納領域１１６ｃに記憶されている文字列画像データを順次に読み出し、ＶＲＡＭ１１７上に展開するなどして、複数種類の文字列画像を順次に生成する。画像データ処理部１６３により生成された文字列画像は、可変表示装置４の表示画面に配置された台詞表示エリア４２にて更新表示される。これにより、台詞表示エリア４２では、台詞表示制御プロセステーブルで指定された順番に従って、文字列画像が画像表示エリア４１に表示された動画像と連動して順次に表示され、台詞の更新表示が行われることとなる。
【０１９０】
以上のような台詞画像表示制御処理を終了すると、ＣＰＵ１１２は、続いて、図５１のフローチャートに示す図柄表示制御処理を実行する（図４３に示すステップＳ４４３）。図柄表示制御処理では、左・中・右の可変表示部４ａ〜４ｃにて特別図柄を可変表示するための処理が実行される。
【０１９１】
図柄表示制御処理を開始すると、ＣＰＵ１１２は、まず、各種タイマ１３６に設けられた図柄表示プロセスタイマがタイムアウトしたか否かを判別する（ステップＳ５８１）。図柄表示プロセスタイマがタイムアウトしていないときには（ステップＳ５８１；Ｎｏ）、そのまま図柄表示制御処理を終了する。これに対して、図柄表示プロセスタイマがタイムアウトしたときには（ステップＳ５８１；Ｙｅｓ）、図２２（Ｃ）に示すような図柄表示制御プロセステーブルにおける読出位置を切り替える（ステップＳ５８２）。すなわち、図柄表示制御プロセステーブルにおいて、次に設定されている図柄表示プロセスタイマ設定値を図柄表示プロセスタイマにセットするとともに、次に設定されている図柄表示制御データに基づくキャラクタ画像データの読出制御などを行う。
【０１９２】
続いて、ＣＰＵ１１２は、ステップＳ５８２にて切り替えた読出位置の図柄表示制御データに従って、ＧＣＬ１１５に対して特別図柄となるキャラクタ画像等の表示指令を送出する（ステップＳ５８３）。また、ステップＳ５８２にてタイマ設定値がセットされた図柄表示制御プロセスタイマをスタートさせ（ステップＳ５８４）、図柄表示制御処理を終了する。
【０１９３】
以上のような図柄表示制御処理を終了すると、ＣＰＵ１１２は、各種タイマ１３６に設けられた可変表示時間タイマがタイムアウトしたか否かを判別する（図４３に示すステップＳ４４４）。可変表示時間タイマがタイムアウトしていないときには（ステップＳ４４４；Ｎｏ）、そのまま可変表示中処理を終了する。一方、可変表示時間タイマがタイムアウトしたときには（ステップＳ４４４；Ｙｅｓ）、各種タイマ１３６に設けられた監視タイマに対して予め定められたタイマ初期値を設定し、その監視タイマのカウントダウン動作を開始させる（ステップＳ４４５）。また、表示制御プロセスフラグの値を図柄停止待ち処理に対応した値である「３」に更新する（ステップＳ４４６）。
【０１９４】
図３８に示すステップＳ１５３の図柄停止待ち処理は、表示制御プロセスフラグの値が「３」のときに実行される処理である。この処理において、ＣＰＵ１１２は、主基板１１から特別図柄確定コマンドを受信したか否かを判別し、受信していないときには、さらに監視タイマがタイムアウトしたか否かを判別する。監視タイマがタイムアウトしていないときには、そのまま図柄停止待ち処理を終了する。一方、特別図柄確定コマンドを受信することなく監視タイマがタイムアウトしたときには、何らかの異常が発生したと判断して、可変表示装置４上に所定のエラー画面を表示する制御を行う。また、監視タイマがタイムアウトする前に特別図柄確定コマンドを受信したときには、可変表示装置４における特別図柄の可変表示を終了させ、各図柄における確定図柄を停止表示する制御を行う。そして、導出された表示結果が大当りであるときには、表示制御プロセスフラグの値を大当り表示処理に対応した値である「４」に更新し、ハズレであるときには、表示制御プロセスフラグの値を「０」に更新する。
【０１９５】
ステップＳ１５４の大当り表示処理は、表示制御プロセスフラグの値が「４」のときに実行される処理である。この処理において、ＣＰＵ１１２は、可変表示装置４を制御することにより、大当り遊技状態に応じた画像を表示する制御を行う。例えば、主基板１１から送出された所定の大当りラウンド数指示コマンドに対応したラウンド数を、可変表示装置４上に表示させることにより、遊技者に対して報知可能とする。そして、大当り遊技状態において実行されるラウンド遊技が最終ラウンド（例えば、１６回目）になると、表示制御プロセスフラグの値を「０」に更新する。
【０１９６】
上述したパチンコ遊技機１の動作を、次に、可変表示装置４における表示動作を中心とした具体例に基づいて説明する。
【０１９７】
パチンコ遊技機１の右下位置に設けられたハンドルを遊技者が操作すると、発射モータにより遊技球が遊技領域に打ち込まれ、遊技領域内を下りてくる。主基板１１は、各入賞口スイッチ７０の入力の有無を監視している。
【０１９８】
遊技球が普通可変入賞球装置６に入賞すると、始動球検出器により遊技球の入賞が検出される。遊技制御用マイクロコンピュータ１００のＣＰＵ１０３は、各入賞口スイッチ７０に含まれる始動球検出スイッチからの検出信号がオン状態となると（図２８のステップＳ１００；Ｙｅｓ）、ランダムカウンタ１２１よりランダムＲ１の値を抽出し、抽出した乱数値を特図保留メモリ１２０の空きエントリの先頭に登録する（ステップＳ１０１）。
【０１９９】
ＣＰＵ１０３は、特図ゲームが実行されていない場合に、特図保留メモリ１２０の記憶内容を読み取り、各保留番号に対応付けて格納されているランダムＲ１の値に基づいて可変表示結果を大当りとするか否かを判定する。また、この大当り判定の判定結果と判定回数に基づいて、複数回の特図ゲームにわたり連続した予告演出を実行するか否かを判別する（図３０及び図３１に示す大当り・連続予告判定処理）。そして、連続予告を実行すると判定したときには、大当りとするか否かの判定回数に対応する連続予告の実行回数を指定するための連続予告回数指定コマンドＢ０ＸＸ（ｈ）を、主基板１１から表示制御基板１２に対して送出する。
【０２００】
また、可変表示の開始条件が成立した特図ゲームにおける大当りとハズレの判定結果に応じて、左・中・右の可変表示部４ａ〜４ｃに導出表示させる特別図柄の確定図柄を決定する（図３４及び図３５に示す確定図柄設定処理）。こうして決定された特別図柄の確定図柄に対応する左・中・右の図柄指定コマンド（９１ＸＸ（ｈ）、９２ＸＸ（ｈ）、９３ＸＸ（ｈ））が、主基板１１から表示制御基板１２に対して送出される。
【０２０１】
さらに、ＣＰＵ１０３は、図１３（Ａ）〜（Ｃ）に示す可変表示パターンテーブル１４９〜１５１に格納された複数の可変表示パターンのうちから、今回の特図ゲームで使用するものを選択決定し（図３６及び図３７に示す可変表示パターン設定処理）、選択決定された可変表示パターンに対応する可変表示開始コマンド（８０ＸＸ（ｈ））を表示制御基板１２に対して送出する。
【０２０２】
表示制御基板１２では、ＣＰＵ１１２が主基板１１から受けた可変表示開始コマンド、左・中・右の図柄指定コマンド、連続予告回数指定コマンド、及びランダムカウンタ１３０より抽出したランダムＲ１０の値などに基づいて、今回の特図ゲームで使用する動画像表示制御プロセステーブル、台詞表示制御プロセステーブル、図柄表示制御プロセステーブルを決定し、それぞれ、動画像表示制御プロセステーブルメモリ１３１ａ、台詞表示制御プロセステーブルメモリ１３１ｂ、図柄表示制御プロセステーブルメモリ１３１ｃから読み出す（図４０に示す表示制御設定処理）。こうして読み出された表示制御プロセステーブルに従って、可変表示装置４による特別図柄の可変表示が開始される。そして、連続予告回数指定コマンドにて指定された連続予告の実行回数に基づいてフラグメモリ１３３に設けられた連続予告フラグがオンとなっているときには、表示制御プロセステーブルに従って所定の予告演出表示が行われる。
【０２０３】
図５２（Ａ）〜（Ｈ）及び図５３（Ａ）〜（Ｈ）は、予告演出表示の具体的な一例として、可変表示装置４の表示領域に配置された画像表示エリア４１にて再生表示される動画像の表示態様を示す説明図である。図５２（Ａ）〜（Ｈ）及び図５３（Ａ）〜（Ｈ）に示すそれぞれの動画像は、図１７（Ａ）に示すＣＧＲＯＭ１１６の動画像データ格納領域１１６ｂに格納された動画像データ＃１〜＃１６のそれぞれに所定の復号化処理を施すことにより再生表示されるものである。また、各動画像データ＃１〜＃１６による動画像を順次に再生することで一連の予告演出表示が可能となる。ここで、動画像データ＃１〜＃１６による動画像を全て再生するために要する時間は、通常Ｂ（ハズレ）の可変表示パターンによる特図ゲームを３回実行してから、リーチＡの可変表示パターンによる特図ゲームを１回実行するまでの、４回分の特図ゲームにわたる予告演出表示が可能となるように調整されている。
【０２０４】
図５４は、動画像Ａ−１の表示制御プロセステーブルにおける設定内容の具体的な一例を示す説明図である。動画像Ａ−１の表示制御プロセステーブルは、ＣＰＵ１１２が図４０に示すステップＳ４２２にて図２３に示す動画像表示手順決定テーブル１７０を用いることにより、連続予告の実行回数が「４」ないし「３」であり、かつ、連続予告カウンタ１３５のカウント値が「１」であるときに、特図ゲームで使用するものとして選択決定される。すなわち、動画像Ａ−１の表示制御プロセステーブルは、３回又は４回の特図ゲームにわたり連続して予告演出が行われるときに、１回目の特図ゲームで使用される。
【０２０５】
動画像Ａ−１の表示制御プロセステーブルでは、１番目の動画像表示プロセスタイマ設定値として左・中・右の可変表示部４ａ〜４ｃにおける特別図柄を縮小して可変表示装置４の表示領域における左上部に移動させるまでに要する待ち時間が設定されている。また、そのプロセスタイマ設定値に対応する動画像表示制御データには、動画像を非表示に設定するための制御データが含まれている。２番目の動画像表示プロセスタイマ設定値としては、図４４のステップＳ５３１にて繰り返し呼び出されるフェードイン処理によるフェードイン表示が完了するまでに要する時間が設定されている。また、そのプロセスタイマ値に対応する動画像表示制御データには、フェードイン制御フラグをオン状態にセットするとともに、動画再生を開始するときに使用される１フレーム分のフレームデータの読出位置を指定するための制御データと、そのフレームデータによる静止画像を描画するための制御データとが含まれている。さらに、３番目、４番目、５番目、６番目の動画像表示プロセスタイマ設定値及び動画像表示制御データにより、それぞれ動画像データ＃１、＃２、＃３、＃４に基づく動画再生に必要な再生時間や、各々の動画像データの読出位置などが指定され、各動画像データによる動画再生が可能となるように設定されている。
【０２０６】
図５５は、動画像Ａ−２の表示制御プロセステーブルにおける設定内容の具体的な一例を示す説明図である。動画像Ａ−２の表示制御プロセステーブルは、ＣＰＵ１１２が動画像表示手順決定テーブル１７０を用いることにより、連続予告の実行回数が「２」であり、かつ、連続予告カウンタ１３５のカウント値が「１」であるときに、特図ゲームで使用するものとして選択される。すなわち、動画像Ａ−２の表示制御プロセステーブルは、２回の特図ゲームにわたり連続して予告演出が行われるときに、１回目の特図ゲームで使用される。動画像Ａ−２の表示制御プロセステーブルでは、３番目、４番目、５番目、６番目の動画像表示プロセスタイマ設定値及び動画像表示制御データにより、それぞれ動画像データ＃２、＃４、＃６、＃７に基づく動画再生に必要な再生時間や、各々の動画像データの読出位置などが指定され、各動画像データによる動画再生が可能となるように設定されている。
【０２０７】
図５６は、動画像Ｂ−１の表示制御プロセステーブルにおける設定内容の具体的な一例を示す説明図である。動画像Ｂ−１の表示制御プロセステーブルは、ＣＰＵ１１２が動画像表示手順決定テーブル１７０を用いることにより、連続予告の実行回数が「３」又は「４」であり、かつ、連続予告カウンタ１３５のカウント値が「２」であるときに、特図ゲームで使用するものとして選択される。すなわち、動画像Ｂ−１の表示制御プロセステーブルは、３回又は４回の特図ゲームにわたり連続して予告演出が行われるときに、２回目の特図ゲームで使用される。動画像Ｂ−１の表示制御プロセステーブルでは、１番目、２番目、３番目の動画像表示プロセスタイマ設定値及び動画像表示制御データにより、それぞれ動画像データ＃５、＃６、＃７に基づく動画再生に必要な再生時間や、各々の動画像データの読出位置などが指定され、各動画像データによる動画再生が可能となるように設定されている。また、４番目の動画像表示プロセスタイマ設定値により静止描画時間が指定されるとともに、そのプロセスタイマ値に対応する動画像表示制御データにより動画像データ＃７に基づく動画像の再生終了時におけるフレームデータを用いた静止描画を行うための設定がなされている。さらに、５番目の動画像表示プロセスタイマ設定値により動画像データ＃８に基づく動画再生に必要な再生時間が指定されるとともに、そのプロセスタイマ値に対応する動画像表示制御データにより動画像データ＃８の読出位置とともに動画再生を開始するための設定がなされている。
【０２０８】
図５７は、動画像Ｂ−２の表示制御プロセステーブルにおける設定内容の具体的な一例を示す説明図である。動画像Ｂ−２の表示制御プロセステーブルは、ＣＰＵ１１２が動画像表示手順決定テーブル１７０を用いることにより、連続予告の実行回数が「２」であり、かつ、連続予告カウンタ１３５のカウント値が「２」であるときに、特図ゲームで使用するものとして選択される。すなわち、動画像Ｂ−２の表示制御プロセステーブルは、２回の特図ゲームにわたる連続予告の最後となる予告演出が行われる特図ゲームで使用される。動画像Ｂ−２の表示制御プロセステーブルでは、１番目、２番目、３番目、４番目の動画像表示プロセスタイマ設定値及び動画像表示制御データにより、それぞれ動画像データ＃８、＃９、＃１１、＃１２に基づく動画再生に必要な再生時間や、各々の動画像データの読出位置などが指定され、各動画像データによる動画再生が可能となるように設定されている。また、５番目の動画像表示プロセスタイマ設定値により図４４のステップＳ５３３にて繰り返し呼び出されるフェードイン処理に基づくフェードイン表示が完了するまでに要する時間が設定されているとともに、そのプロセスタイマ値に対応する動画像表示制御データにより動画像データ＃１２に基づく動画像の再生終了時におけるフレームデータを用いたフェードアウト表示を行うための設定がなされている。さらに、６番目の動画像表示プロセスタイマ設定値により特図ゲームにおける特別図柄の可変表示が終了するまでの待ち時間が設定されているとともに、そのプロセスタイマ値に対応する動画像表示制御データにより動画像を非表示とするための設定がなされている。
【０２０９】
図５８は、動画像Ｄの表示制御プロセステーブルにおける設定内容の具体的な一例を示す説明図である。動画像Ｄの表示制御プロセステーブルは、ＣＰＵ１１２が動画像表示手順決定テーブル１７０を用いることにより、連続予告の実行回数が「４」であり、かつ、連続予告カウンタ１３５のカウント値が「４」であるときに、特図ゲームで使用するものとして選択される。すなわち、動画像Ｄの表示制御プロセステーブルは、４回の特図ゲームにわたる連続予告の最後となる予告演出が行われる特図ゲームで使用される。動画像Ｂ−２の表示制御プロセステーブルでは、１番目、２番目、３番目、４番目の動画像表示プロセスタイマ設定値及び動画像表示制御データにより、それぞれ動画像データ＃１３、＃１４、＃１５、＃１６に基づく動画再生に必要な再生時間や、各々の動画像データの読出位置などが指定され、各動画像データによる動画再生が可能となるように設定されている。また、５番目の動画像表示プロセスタイマ設定値により図４４のステップＳ５３３にて繰り返し呼び出されるフェードイン処理に基づくフェードイン表示が完了するまでに要する時間が設定されているとともに、そのプロセスタイマ値に対応する動画像表示制御データにより動画像データ＃１２に基づく動画像の再生終了時におけるフレームデータを用いたフェードアウト表示を行うための設定がなされている。さらに、６番目の動画像表示プロセスタイマ設定値により特図ゲームにおける特別図柄の可変表示が終了するまでの待ち時間が設定されているとともに、そのプロセスタイマ値に対応する動画像表示制御データにより動画像を非表示とするための設定がなされている。
【０２１０】
また、図５９（Ａ）〜（Ｃ）は、それぞれ、台詞Ａ−１、台詞Ｂ−１、台詞Ｃ−１の表示制御プロセステーブルについて、具体的な構成例を示す図である。これらの台詞表示制御テーブルは、連続予告の実行回数が「４」であるときに、図４１に示すステップＳ５０２にて、連続予告カウンタ１３５のカウント値に基づき、図２４に示す連続予告中台詞決定テーブル１７１を用いて選択決定される。すなわち、台詞Ａ−１、台詞Ｂ−１、台詞Ｃ−１の各表示制御プロセステーブルは、４回の特図ゲームにわたり連続して予告演出が行われるときに、予告演出を行う１回目〜３回目の特図ゲームで使用され、各回の特図ゲームで画像表示エリア４１に再生表示される動画像と連動して、台詞表示エリア４２に文字列画像を更新表示させる。
【０２１１】
図６０（Ａ）は、図柄表示制御プロセステーブルに従った特別図柄の表示プロセス（可変表示の状態）を示す説明図である。また、図６０（Ｂ）は、動画像表示制御プロセステーブルに従った動画像の表示プロセス（動画像表示の状態）を示す説明図である。図６１は、４回の特図ゲームにわたり連続して動画像を用いた予告演出を行う場合の表示制御例を示すシーケンス図である。４回の特図ゲームにわたり連続して予告演出を行うときには、図２３に示す動画像表示手順決定テーブル１７０に基づいて、１回目、２回目、３回目、４回目の特図ゲームのそれぞれにおいて、動画像Ａ−１、動画像Ｂ−１、動画像Ｃ−１、動画像Ｄの表示制御プロセステーブルが使用される。ＣＰＵ１１２は、各回の特図ゲームにおいて、使用する動画像表示制御プロセステーブルでの設定に応じてＣＧＲＯＭ１１６の動画像データ格納領域１１６ｂにおける動画像データの読出位置を決定し、ＧＣＬ１１５に対して動画像の再生を指示する表示制御指令を送出する。
【０２１２】
ＧＣＬ１１５は、ＣＰＵ１１２から動画像の再生を指示する表示制御指令を受けると、動画像データ格納領域１１６ｂから動画像データを読み出して動画再生を行うことで、可変表示装置４の表示領域に配置された画像表示エリア４１に、図６２（Ａ）から図６３（Ｈ）まで続く一連の動画像を再生表示させる。すなわち、図６１に示すように、連続予告の１回目となる予告演出を行う特図ゲームにおいて特別図柄の可変表示を開始すると、まず、プロセスｃに従って左・中・右の特別図柄を縮小して可変表示装置４の表示領域左上部に移動させるための演出表示を行い、プロセスａに従って左・中・右図柄が可変表示される。このとき、動画像については、特別図柄の縮小演出が行われている間はプロセスｅに従って非表示状態とされ、特別図柄の縮小が完了すると、動画再生を開始するときに使用するフレームデータの画像を用いて、プロセスｆに従ったフェードイン表示を実行する。このとき、ＣＰＵ１１２は、フェードイン処理（図４４に示すステップＳ５３１）を実行することにより、動画再生を開始するときに使用されるフェードイン対象画像の透明度が徐々に低下していくフェードイン表示を行って、図６２（Ａ）において画像表示エリア４１に表示される画像を、図４７（Ａ）〜（Ｄ）に示すように段階的に出現させる。すなわち、ＣＰＵ１１２は、演出に用いられる動画像のうち最初に表示される画像をフェードイン対象画像に設定して、フェードイン処理により段階的に出現させる。
【０２１３】
フェードイン表示が完了すると、動画像データ＃１〜＃４に基づく動画像が順次に再生表示されて、１回目の特図ゲームにおける特別図柄の確定図柄が導出表示された後に、２回目の特図ゲームにおける可変表示が開始される。そして、画像表示エリア４１では、動画像データ＃４に基づく動画像の再生に続いて、動画像データ＃５〜＃７に基づく動画像が順次に再生表示された後、プロセスｉに従って動画像データ＃７に基づく動画像の再生終了時におけるフレームデータを用いた動画像の静止表示が行われる。この後、動画像表示プロセスタイマがタイムアウトしたときに、動画像データ＃８に基づく動画像の再生表示が開始されることとなる。
【０２１４】
こうして２回目の特図ゲームにおける特別図柄の確定図柄が導出表示された後に、３回目の特図ゲームにおける可変表示が開始されると、画像表示エリア４１では、動画像データ＃８に基づく動画像の再生表示に続いて、動画像データ＃９、＃１０に基づく動画像が順次に再生表示される。動画像データ＃１０に基づく動画像の再生表示が終了したときには、動画像Ｃ−１の表示制御プロセステーブルにおける設定に基づき、プロセスｉに従って動画像データ＃１０に基づく動画像の再生終了時におけるフレームデータを用いた動画像の静止表示が行われる。この後、動画像表示プロセスタイマがタイムアウトすると、動画像データ＃１１、＃１２に基づく動画動が順次に再生表示されることとなる。
【０２１５】
３回目の特図ゲームにおける特別図柄の確定図柄が導出表示された後に、４回目の特図ゲームにおける可変表示が開始されると、画像表示エリア４１では、動画像データ＃１３〜＃１６に基づく動画像が順次に再生表示される。そして、動画像データ＃１６に基づく動画像の再生表示が終了すると、プロセスｇに従ったフェードアウト表示を実行する。このとき、ＣＰＵ１１２は、フェードアウト処理（図４４に示すステップＳ５３３）を実行することにより、動画再生の終了時における画像（フェードアウト対象画像）の透明度が徐々に高められるフェードアウト表示を行って、図６３（Ｈ）における画像表示エリア４１に表示されている画像を、図４９（Ａ）〜（Ｄ）に示すように段階的に消失させる。すなわち、ＣＰＵ１１２は、演出に用いられる動画像のうち最後に表示される画像をフェードアウト対象画像に設定して、フェードアウト処理により段階的に消失させる。この後、可変表示中の特別図柄がプロセスｄに従って拡大されて可変表示装置４の中央部に移動させるための演出表示が行われ、リーチＡの可変表示パターンに対応した総可変表示時間が経過すると、連続予告が行われた後の可変表示結果として、特別図柄の確定図柄が導出表示される。
【０２１６】
このように、４回の特図ゲームにわたる連続予告では、図１７（Ａ）に示すＣＧＲＯＭ１１６の動画像データ格納領域１１６ｂに格納された動画像データ＃１〜＃１６に基づく全ての動画像が順次に再生されて、画像表示エリア４１に表示される。また、動画像の再生時間は、４回の特図ゲームにわたる連続予告に適合したものに調整されることとなる。
【０２１７】
また、ＣＰＵ１１２は、図２４に示す連続予告中台詞決定テーブル１７１を用いることで、１回目、２回目、３回目の特図ゲームのそれぞれにおいて、台詞Ａ−１、台詞Ｂ−１、台詞Ｃ−１の表示制御テーブルを選択決定する。そして、選択決定された各台詞表示制御テーブルに基づき、ＣＧＲＯＭ１１６の台詞画像データ格納領域１１６ｃにおける文字列画像データの読出位置を決定し、ＧＣＬ１１５に対して文字列画像の生成を指示する表示制御指令を送出する。
【０２１８】
ＧＣＬ１１５は、各回の特図ゲームにおいてＣＰＵ１１２から文字列画像の生成を指示する表示制御指令を受けるごとに、台詞画像データ格納領域１１６ｃから文字列画像データを読み出して順次に文字列画像を生成し、可変表示装置４の表示領域に配置された台詞表示エリア４２に、図６２（Ａ）から図６３（Ｈ）までに示すような文字列画像を順次に表示する。ここで、台詞画像データ格納領域１１６ｃに格納された文字列画像データには、文字列画像の一部を他の部分とは異なる表示態様で表示させるための表示制御データも含まれている。これにより、例えば図６２（Ｂ）に示すように、台詞表示エリア４２に表示された文字列画像の一部が橙色表示されるなど、通常とは異なる表示態様で台詞を表示することもできる。このようにして、ＧＣＬ１１５が順次に生成した文字列画像を台詞表示エリア４２に順次に表示させることにより、台詞としての文字列画像が、動画像の再生表示と連動して更新表示されることとなる。
【０２１９】
ここで、４回目の特図ゲームでは、表示結果をハズレとするか大当りとするかに応じて、図２５（Ａ）に示すハズレ最終予告時台詞決定テーブル１７２あるいは図２５（Ｂ）に示す大当り最終予告時台詞決定テーブル１７３を用いることにより、台詞Ｄ−１、台詞Ｄ−２、台詞Ｄ−３、台詞Ｄ−４の表示制御プロセステーブルのうちのいずれかが選択決定される。
【０２２０】
図６４（Ａ）〜（Ｄ）は、ハズレ最終予告時台詞決定テーブル１７２又は大当り最終予告時台詞決定テーブル１７３を用いて選択される台詞Ｄ−１〜台詞Ｄ−４の表示制御プロセステーブルについて、その具体的な構成例を示す図である。図６５〜図６８は、それぞれ台詞Ｄ−１〜台詞Ｄ−４の表示制御プロセステーブルに従って作成される文字列画像の可変表示装置４における表示状態を示す図である。なお、図６３（Ｅ）〜（Ｈ）で示した文字列画像の表示状態は、図６８（Ａ）〜（Ｄ）に示すものと同一である。すなわち、図６３（Ｅ）〜（Ｈ）に示す文字列画像は、台詞Ｄ−４の表示制御プロセステーブルに従って表示されたものである。
【０２２１】
この例では、台詞Ｄ−１〜台詞Ｄ−４の各表示制御プロセステーブルに従って台詞表示エリア４２に最初に表示される文字列画像が、いずれも文字列画像データ＃４−１の画像であるものとする。従って、図６５（Ａ）、図６６（Ａ）、図６７（Ａ）、図６８（Ａ）に示すように、台詞Ｄ−１〜台詞Ｄ−４のいずれの表示制御プロセステーブルを用いた場合でも、台詞表示エリア４２に最初に表示される文字列画像は同一となり、この時点では、いずれの表示制御プロセステーブルを用いた台詞表示が行われるかを認識することが困難である。
【０２２２】
また、台詞Ｄ−１〜台詞Ｄ−４の各表示制御プロセステーブルを用いたときには、文字列画像データ＃４−１の文字列画像の次に、いずれも文字列画像データ＃４−２の文字列画像が台詞表示エリア４２に表示される。従って、図６５（Ｂ）、図６６（Ｂ）、図６７（Ｂ）、図６８（Ｂ）に示すように、台詞Ｄ−１〜台詞Ｄ−４のいずれの表示制御プロセステーブルを用いた場合でも、台詞表示エリア４２に２番目に表示される文字列画像も同一となり、この時点でも、いずれの表示制御プロセステーブルを用いた台詞表示が行われるかを認識することが困難である。
【０２２３】
続いて、台詞Ｄ−１の表示制御プロセステーブルを用いた場合には、文字列画像データ＃４−３、文字列画像データ＃４−７が、台詞画像データ格納領域１１６ｃから順次に読み出されて、各データに対応する文字列画像が順次生成される。そして、台詞表示エリア４２には、図６５（Ｃ）及び図６５（Ｄ）に示すように、台詞となる文字列画像が順次に表示されることとなる。ここで、図４２に示すように、台詞Ｄ−１の表示制御プロセステーブルを用いた台詞が表示されたときの大当り信頼度は、台詞Ｄ−１〜台詞Ｄ−４のうちで最も低いものとなる。
【０２２４】
また、台詞Ｄ−２の表示制御プロセステーブルを用いた場合には、文字列画像データ＃４−４、文字列画像データ＃４−８が、台詞画像データ格納領域１１６ｃから順次に読み出されて、各データに対応する文字列画像が順次生成される。そして、台詞表示エリア４２には、図６６（Ｃ）及び図６６（Ｄ）に示すように、台詞となる文字列画像が順次に表示されることとなる。ここで、台詞Ｄ−２の表示制御プロセステーブルを用いた台詞が表示されたときの大当り信頼度は、台詞Ｄ−１よりも高いものの、台詞Ｄ−３及び台詞Ｄ−４よりは低いものとなっている。
【０２２５】
台詞Ｄ−３の表示制御プロセステーブルを用いた場合には、文字列画像データ＃４−５、文字列画像データ＃４−９が、台詞画像データ格納領域１１６ｃから順次に読み出されて、各データに対応する文字列画像が順次生成される。そして、台詞表示エリア４２には、図６７（Ｃ）及び図６７（Ｄ）に示すように、台詞となる文字列画像が順次に表示されることとなる。ここで、台詞Ｄ−３の表示制御プロセステーブルを用いた台詞が表示されたときの大当り信頼度は、台詞Ｄ−１及び台詞Ｄ−２よりも高く、台詞Ｄ−４よりは低いものとなっている。ここで、図６７（Ｄ）に示す文字列画像では、「大当り」を示す文字列が赤色表示されるなど、一部の文字列が他の部分とは異なる表示態様となっている。こうした設定は、文字列画像データ＃４−９に含まれる表示制御データなどで指定されている。ＧＣＬ１１５は、文字列画像データ＃４−９に従った文字列画像を生成することにより、図６７（Ｄ）に示すような文字列画像を台詞表示エリア４２に表示させることができる。図６７（Ｄ）に示す文字列画像の表示により、通常の表示態様である図６５（Ｄ）や図６６（Ｄ）などに示す文字列画像が表示されたときよりも大当りとなる可能性が高いことを、遊技者等が容易に認識することができる。
【０２２６】
台詞Ｄ−４の表示制御プロセステーブルを用いた場合には、文字列画像データ＃４−６、文字列画像データ＃４−１０が、台詞画像データ格納領域１１６ｃから順次に読み出されて、各データに対応する文字列画像が順次生成される。そして、台詞表示エリア４２には、図６８（Ｃ）及び図６８（Ｄ）に示すように、台詞となる文字列画像が順次に表示されることとなる。ここで、台詞Ｄ−４の表示制御プロセステーブルを用いた台詞が表示されたときには、必ず可変表示結果が大当りとなる。このため、台詞表示エリア４２には、図６８（Ｄ）に示すように、可変表示結果が大当りとなることを示す文字列画像が表示される。この文字列画像では、「大当り」を示す文字列が赤色表示されるなど、一部の文字列が他の部分とは異なる表示態様となっている。従って、図６８（Ｄ）に示す文字列画像が表示されたときには、可変表示結果が必ず大当りとなることを認識することが可能である。
【０２２７】
このように台詞表示エリア４２にて更新表示が行われた後、最終的に表示された文字列画像の種類に応じて、特図ゲームの表示結果が大当りとなる確率は異なるものとなる。すなわち、ハズレ最終予告時台詞決定テーブル１７２及び大当り最終予告時台詞決定テーブル１７３では、台詞表示エリア４２における更新表示後の文字列画像の種類に応じて大当りとなる確率が異なるように、決定用データとしてのランダムＲ１０の値が各台詞表示制御プロセステーブルに対して割り振られている。また、ハズレ最終予告時台詞決定テーブル１７２及び大当り最終予告時台詞決定テーブル１７３では、文字列画像の表示態様に応じて大当りとなる確率が異なるように、ランダムＲ１０の値が各台詞表示制御プロセステーブルに対して割り振られている。
【０２２８】
図６９は、２回の特図ゲームにわたり連続して予告演出を行う場合の表示制御例を示すタイミング図である。２回の特図ゲームにわたり連続して予告演出を行うときには、図２３に示す動画像表示手順決定テーブル１７０に基づいて、１回目、２回目の特図ゲームのそれぞれにおいて、動画像Ａ−２、動画像Ｂ−２の表示制御プロセステーブルが使用される。ＣＰＵ１１２は、各回の特図ゲームにおいて、使用する動画像表示制御プロセステーブルでの設定に応じてＣＧＲＯＭ１１６の動画像データ格納領域１１６ｂにおける動画像データの読出位置を決定し、ＧＣＬ１１５に対して動画像の再生を指示する表示制御指令を送出する。
【０２２９】
ＧＣＬ１１５は、ＣＰＵ１１２から動画像の再生を指示する表示制御指令を受けると、動画像データ格納領域１１６ｂから動画像データを読み出して動画再生を行うことで、可変表示装置４の表示領域に配置された画像表示エリア４１に、図７０（Ａ）から図７０（Ｈ）まで続く一連の動画像を再生表示させる。このときに表示される動画像は、図６９に示すように、動画像データ＃２、＃４、＃６、＃７〜＃９、＃１１、＃１２に基づいて順次に生成される画像であり、動画像データ格納領域１１６ｂに格納されている動画像データの一部に基づく動画像である。すなわち、ＣＰＵ１１２は、各特図ゲームにおける可変表示を開始するときに、図４０に示すステップＳ４２２にて動画像表示手順決定テーブル１７０を用いて動画像表示制御プロセステーブルを選択決定することにより、連続予告の実行回数に応じて動画再生による動画像の再生位置を決定することができる。
【０２３０】
また、ＣＰＵ１１２は、図２４に示す連続予告中台詞決定テーブル１７１を用いることで、１回目の特図ゲームにおいて、台詞Ａ−３の表示制御プロセステーブルを選択決定する。そして、ＧＣＬ１１５に対して文字列画像の生成を指示する表示制御指令を送出する。ＧＣＬ１１５は、ＣＰＵ１１２から文字列画像の生成を指示する表示制御指令を受けるごとに、台詞画像データ格納領域１１６ｃから文字列画像データを読み出して順次に文字列画像を生成し、台詞表示エリア４２に、図７０（Ａ）〜（Ｈ）に示すような文字列画像を順次に表示する。このとき台詞画像データ格納領域１１６ｃから読み出される文字列画像データにも、文字列画像の一部を他の部分とは異なる表示態様で表示させるための表示制御データが含まれていることがある。これにより、例えば図７０（Ａ）に示すように、台詞表示エリア４２に表示された文字列画像の一部が青色表示されるなど、通常とは異なる表示態様で台詞を表示することもできる。
【０２３１】
こうした複数回の特図ゲームにわたり連続した予告演出表示が行われた後、可変表示パターンに対応した総可変表示時間が経過したときに、表示結果となる特別図柄の確定図柄が導出表示される。このとき導出表示された確定図柄がハズレとなる組合せであれば、特別可変入賞球装置７の開閉板の開成等を行わず、１回分の特図ゲームの実行が終了する。一方、確定図柄が大当り組合せとなっていれば、パチンコ遊技機１は大当り遊技状態となり、特別可変入賞球装置７の開閉板が一定時間又は一定数の遊技球が入賞するまで開成し、開閉を一定サイクル繰り返すこととなる。
【０２３２】
以上説明したように、この実施の形態では、複数回の特図ゲームにわたり連続した予告演出を行うときに、ＣＰＵ１１２が連続予告の実行回数や連続予告カウンタ１３５のカウント値に基づき、図２３に示す動画像表示手順決定テーブル１７０を用いて今回の特図ゲームで使用する動画像表示制御プロセステーブルを選択決定する。各動画像表示制御プロセステーブルには、動画像の再生時間を設定するための動画像表示プロセスタイマ設定値や、ＣＧＲＯＭ１１６の動画像データ格納領域１１６ｂにおける動画像データの読出位置などを示す動画像表示制御データが設定されている。従って、ＣＰＵ１１２は、選択決定した動画像表示制御プロセステーブルでの設定に応じた表示制御指令をＧＣＬ１１５に対して送出することにより、連続予告が実行される特図ゲームの実行回数に応じて、動画再生による動画像の再生期間を決定することができる。これにより、連続した動画像を用いた演出表示が行われる特図ゲームの実行回数が異なる場合でも、同一の動画像データを用いて動画像により演出表示を行うことができる。同一の動画像データを用いることで、動画像データのデータ量を増大させることなく多様な演出表示を可能として動画像データの格納に必要な記憶容量を抑えることができ、データ圧縮された動画像データを用いた演出表示のための制御負担を軽減することができる。
【０２３３】
ＣＰＵ１０３は、図３０のフローチャートに示す大当り・連続予告判定処理において、ステップＳ３０３の大当り判定処理を実行することにより、特図ゲームの開始条件が成立したときに、特図保留メモリ１２０によって保留されている特図ゲームの可変表示結果が大当りとなるか否かを判定することができる。また、ステップＳ３０９又はＳ３１１にて連続予告回数メモリ１２６に変数ｋに基づく値をセットすることにより、連続予告を実行する回数を決定することができる。そして、ステップＳ３１４では、ステップＳ３１０にて設定された大当り時連続予告判定テーブル１４３又はステップＳ３１２にて設定されたハズレ時連続予告判定テーブル１４２を用いて、大当りの判定結果と判定回数に基づいて連続予告を実行するか否かを判定することができる。そして、ハズレ時連続予告判定テーブル１４２及び大当り時連続予告判定テーブル１４３では、予告演出が連続して行われる特図ゲームの実行回数が増加するに従って表示結果が大当りとなる確率が高くなるように、決定用データとしてのランダムＲ６の値が割り振られている。これにより、特図ゲームの表示結果が大当たりとなる確率は、動画像を用いた演出表示が連続して実行されるに従って高まってゆくので、遊技者の期待感を高めることができる。
【０２３４】
また、同一の動画像データを用いた動画再生が行われるときでも、可変表示装置４の表示画面に配置された台詞表示エリア４２に表示される文字列画像の種類に応じて、特図ゲームの表示結果が大当りとなる確率を異ならせることができる。これにより、動画像データのデータ量を増大させることなく多様な演出表示が可能となる。また、動画像データの格納に必要な記憶容量を抑えることができるので、データ圧縮された動画像データを用いた演出表示のための制御負担を軽減することができる。
【０２３５】
さらに、台詞表示エリア４２における更新表示後に表示された文字列画像の種類に応じて特図ゲームの表示結果が大当りとなる確率が異なるものとなるので、さらに長い期間にわたり遊技者の大当りに対する期待感を持続させることができる。
【０２３６】
また、動画像データに含まれている１フレーム分の画像データを用いてフェードイン処理やフェードアウト処理を行うことができるので、動画像データのデータ量が増大することなく、多様な演出表示が可能となる。さらに、動画像データに含まれている画像データを用いた静止表示を行うことで、静止表示を実現するために必要な動画像データを削減することができ、動画像データ全体のデータ量を低減させることができる。加えて、演出に用いられる動画像のうち最初に表示される画像を段階的に出現させるフェードイン表示を行うことや、演出に用いられる動画像のうち最後に表示される画像を段階的に消失させるフェードアウト表示を行うこともできる。これにより、画像データのデータ量を増大させることなく多様な演出表示を可能として画像データの格納に必要な記憶容量を抑えることができ、データ圧縮された画像データを用いた演出表示のための制御負担を軽減することができる。また、画像切替時の違和感を緩和することもできる。
【０２３７】
この発明は、上記実施の形態に限定されず、種々の変形及び応用が可能である。例えば、上記実施の形態では、台詞表示制御プロセステーブルを用いた場合には、台詞表示エリア４２にて複数種類の文字列画像が順次表示されて台詞の更新表示が行われるものとして説明した。しかしながら、この発明はこれに限定されるものではなく、台詞表示エリア４２にて単一の文字列画像を表示させるための台詞表示制御テーブルを含んでいてもよい。
【０２３８】
上記実施の形態では、可変表示装置４の表示画面に３つの可変表示部４ａ〜４ｃが配置され、左・中・右の特別図柄がそれぞれ可変表示されるものとして説明した。しかしながら、この発明はこれに限定されるものではなく、可変表示装置４に設けられた複数の可変表示領域において、各々が識別可能な複数種類の識別情報を可変表示するものであればよい。例えば、可変表示装置４の表示画面に１つの特別図柄表示エリアと３つの可変表示領域を含む飾り図柄表示エリアとを配置し、特別図柄表示エリアにて特別図柄が可変表示されるとともに、３つの可変表示領域において左・中・右の飾り図柄がそれぞれ可変表示されるものであってもよい。
【０２３９】
また、上記実施の形態では、動画像の再生表示と連動して台詞を表示するための文字列画像が表示されるものとして説明したが、これに限定されるものではなく、例えば、動画像として再生表示された場面（場所や地名、時代、時期、時刻など）を説明するための文字列画像や、動画像として再生表示されたもの（名前や出生地、年齢、原産地、大きさ、各種の能力値等）を説明するための文字列画像など、任意の文字列画像を用いたものであればよい。
【０２４０】
図１及び図４に示した装置構成、図５、図７、図１４〜図１６、図１９及び図２１に示すブロック構成、図９〜図１３、図２２〜図２５、図５４〜図５９及び図６４に示すテーブル構成、図２６〜図３２、図３４〜図４１、図４３〜図４５、図４８、図５０及び図５１に示すフローチャート構成や、図４７、図４９、図５２、図５３、図６２、図６３、図６５〜図６８、図７０等の表示例は、発明の趣旨を逸脱しない範囲で任意に変更及び修正が可能である。
【０２４１】
さらに、パチンコ遊技機１の動作をシミュレーションするゲーム機などにも本発明を適用することができる。本発明を実現するためのプログラム及びデータは、コンピュータ装置等に対して、着脱自在の記録媒体により配布・提供される形態に限定されるものではなく、予めコンピュータ装置等の有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０２４２】
そして、ゲームの実行形態も、着脱自在の記録媒体を装着することにより実行するものだけではなく、通信回線等を介してダウンロードしたプログラム及びデータを、内部メモリ等にいったん格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【０２４３】
また、本発明は、入賞球の検出に応答して所定数の賞球を払い出す払出式遊技機に限定されるものではなく、遊技球を封入し入賞球の検出に応答して得点を付与する封入式遊技機にも適用することができる。
【０２４４】
以上説明したように本発明は、以下に示す効果を有する。
【０２４５】
請求項１に記載の遊技機によれば、再生期間決定手段が、連続回数決定手段により連続した動画像を用いた演出表示を行うことが決定された識別情報の可変表示回数に応じて、データ再生手段が行う動画再生による動画像の再生期間を決定するので、連続した動画像を用いた演出表示が行われる可変表示の実行回数が異なる場合でも、同一の動画像データを用いて動画像による演出表示を行うことができる。これにより、動画像データのデータ量を増大させることなく多様な演出表示を可能として動画像データの格納に必要な記憶容量を抑えることができ、データ圧縮された動画像データを用いた演出表示のための制御負担を軽減することができる。
【０２４６】
請求項２に記載の遊技機においては、連続予告判定手段は、連続回数決定手段により決定される識別情報の可変表示回数が多くなるに従って識別情報の表示結果が特定表示結果となる確率が高くなるように、決定用データが連続予告を実行するか否かの判定結果に対して割り振られている連続予告決定用テーブルを用いて、複数回の識別情報の可変表示にわたる連続予告を実行するか否かを決定するので、識別情報の表示結果が特定表示結果となる確率は、動画像を用いた演出表示が長く継続するに従って高まってゆくこととなる。これにより、遊技者の期待感を高めることができ、遊技の興趣性が向上する。
【０２４７】
請求項３に記載の遊技機においては、識別情報の可変表示を実行しているときに、データ再生手段が行う動画再生による動画像と文字列画像生成手段により生成された文字列画像とを組み合わせた演出表示を、文字列表示制御手段が可変表示装置に行わせる。ここで、文字列表示制御手段が可変表示装置に表示させる文字列画像の種類に応じて特定表示結果となる確率を異ならせるように決定用データが各文字列画像表示パターンに割り振られている文字列決定用テーブルを用いて、パターン決定手段が文字列画像表示パターンを選択決定するので、同一の動画像データを用いた動画再生が行われるときでも、可変表示装置に表示される文字列画像の種類に応じて特定表示結果となる確率を異ならせることができる。これにより、動画像データのデータ量を増大させることなく多様な演出表示を可能として動画像データの格納に必要な記憶容量を抑えることができ、データ圧縮された動画像データを用いた演出表示のための制御負担を軽減することができる。
【０２４８】
請求項４に記載の遊技機においては、文字列画像生成手段によって生成される文字列画像の表示態様に応じて特定表示結果となる確率を異ならせることができるので、遊技者が大当りとなる可能性を容易に認識することができ、大当りに対する期待感が高められる。
【０２４９】
請求項５に記載の遊技機においては、事前判定手段によって特定表示結果とすることが決定されたときに識別情報の表示結果が特定表示結果となることを示す文字列画像を文字列画像生成手段により生成することができる。これにより、遊技者にとって意外な演出表示が可能となり、文字列画像に対する関心を高め、文字列画像を用いた演出表示の効果を高めることができる。
【０２５０】
請求項６に記載の遊技機においては、フェードイン画像生成手段がデータ再生手段による動画再生を開始するときに使用されるフレームデータから透過度を段階的に高めていった複数のフェードイン画像を生成し、フェードイン処理手段がフェードイン画像生成手段により生成された各フェードイン画像を、透過度が最も高められているフェードイン画像から、透過度がより低いフェードイン画像に順次移行させ、最終的にフレームデータの画像を表示させることによりフェードイン処理を実行する。また、フェードアウト画像生成手段がデータ再生手段による動画再生を終了するときに使用されるフレームデータから透過度を段階的に高めていった複数のフェードアウト画像を生成し、フェードアウト処理手段がフェードアウト画像生成手段により生成された各フェードアウト画像を、動画再生の終了時におけるフレームデータの画像から、透過度がより高められているフェードアウト画像に順次移行させ、最終的に透過度が最も高められているフェードアウト画像を表示させることによりフェードアウト処理を実行する。これにより、動画像データのデータ量を増大させることなく、フェードイン表示やフェードアウト表示を行うことができるので、動画像データのデータ量を増大させることなく多様な演出表示を可能として動画像データの格納に必要な記憶容量を抑えることができ、データ圧縮された動画像データを用いた演出表示のための制御負担を軽減することができる。また、画像切替時の違和感を緩和することができる。
【０２５１】
請求項７に記載の遊技機においては、動画再生中断手段により動画再生が中断されたときに、動画像データに含まれる静止対象画像データに基づいて、静止画像表示切替手段が可変表示装置における動画像表示を静止画像表示に切り替える。また、中断期間が終了したときには、動画像表示切替手段が可変表示装置における静止画像表示を動画像表示に切り替える。これにより、動画像を用いた演出表示中における表示画像に変化がない場面で、そのような場面を表示させるための動画像データを用意する必要がなくなり、静止表示を行うための動画像データを削減することができる。従って、動画像データ全体のデータ量を低減させることができ、動画像データの格納に必要な記憶容量を抑えることができ、データ圧縮された動画像データを用いた演出表示のための制御負担を軽減することができる。
【符号の説明】
【０２５２】
１  …  パチンコ遊技機
２  …  遊技盤
３  …  遊技機用枠
４  …  可変表示装置
４ａ〜４ｃ  …  可変表示部
５  …  普通電動役物
６  …  普通可変入賞球装置
７  …  特別可変入賞球装置
８Ｌ、８Ｒ  …  スピーカ
９  …  遊技効果ランプ
１０  …  電源基板
１１  …  主基板
１２  …  表示制御基板
１３  …  音声制御基板
１４  …  ランプ制御基板
１５  …  払出制御基板
１６  …  情報端子基板
２１、２２  …  ソレノイド
４０  …  普通図柄表示器
４１  …  画像表示エリア
４２  …  台詞表示エリア
７０  …  各入賞口スイッチ
１００  …  遊技制御用マイクロコンピュータ
１０１、１１３  …  ＲＯＭ
１０２、１１４  …  ＲＡＭ
１０３、１１２  …  ＣＰＵ
１０４  …  Ｉ／Ｏポート
１０７  …  スイッチ回路
１０８  …  ソレノイド回路
１１０  …  発振回路
１１１  …  リセット回路
１１５  …  ＧＣＬ
１１６  …  ＣＧＲＯＭ
１１６ａ  …  キャラクタ画像データ格納領域
１１６ｂ  …  動画像データ格納領域
１１６ｃ  …  台詞画像データ格納領域
１２０  …  特図保留メモリ
１２１、１３０  …  ランダムカウンタ
１２２  …  判定テーブルメモリ
１２３  …  図柄決定用テーブルメモリ
１２４  …  可変表示パターンテーブルメモリ
１２５、１３３  …  フラグメモリ
１２６、１３４  …  連続予告回数メモリ
１２７、１３５  …  連続予告カウンタ
１２８  …  可変表示時間タイマ
１３１  …  表示制御プロセステーブルメモリ
１３１ａ  …  動画像表示制御プロセステーブルメモリ
１３１ｂ  …  台詞表示制御プロセステーブルメモリ
１３１ｃ  …  図柄表示制御プロセステーブルメモリ
１３２  …  予告パターン決定用テーブルメモリ
１３６  …  各種タイマ
１４０  …  通常時大当り判定テーブル
１４１  …  確変時大当り判定テーブル
１４２  …  ハズレ時連続予告判定テーブル
１４３  …  大当り時連続予告判定テーブル
１４４  …  通常大当り図柄決定用テーブル
１４５  …  確変大当り図柄決定用テーブル
１４６  …  左図柄決定用テーブル
１４７  …  中図柄決定用テーブル
１４８  …  右図柄決定用テーブル
１４９  …  通常時可変表示パターンテーブル
１５０  …  リーチ時可変表示パターンテーブル
１５１  …  大当り時可変表示パターンテーブル
１６０  …  データ伸長部
１６１  …  データ再生部
１６２  …  動作制御部
１６３  …  画像データ処理部
１７０  …  動画像表示手順決定テーブル
１７１  …  連続予告中台詞決定テーブル
１７２  …  ハズレ最終予告時台詞決定テーブル
１７３  …  大当り最終予告時台詞決定テーブル
【図１】
2010227701.tif 000003
【図２】
2010227701.tif 000004
【図３】
2010227701.tif 000005
【図４】
2010227701.tif 000006
【図５】
2010227701.tif 000007
【図６】
2010227701.tif 000008
【図７】
2010227701.tif 000009
【図８】
2010227701.tif 000010
【図９】
2010227701.tif 000011
【図１０】
2010227701.tif 000012
【図１１】
2010227701.tif 000013
【図１２】
2010227701.tif 000014
【図１３】
2010227701.tif 000015
【図１４】
2010227701.tif 000016
【図１５】
2010227701.tif 000017
【図１６】
2010227701.tif 000018
【図１７】
2010227701.tif 000019
【図１８】
2010227701.tif 000020
【図１９】
2010227701.tif 000021
【図２０】
2010227701.tif 000022
【図２１】
2010227701.tif 000023
【図２２】
2010227701.tif 000024
【図２３】
2010227701.tif 000025
【図２４】
2010227701.tif 000026
【図２５】
2010227701.tif 000027
【図２６】
2010227701.tif 000028
【図２７】
2010227701.tif 000029
【図２８】
2010227701.tif 000030
【図２９】
2010227701.tif 000031
【図３０】
2010227701.tif 000032
【図３１】
2010227701.tif 000033
【図３２】
2010227701.tif 000034
【図３３】
2010227701.tif 000035
【図３４】
2010227701.tif 000036
【図３５】
2010227701.tif 000037
【図３６】
2010227701.tif 000038
【図３７】
2010227701.tif 000039
【図３８】
2010227701.tif 000040
【図３９】
2010227701.tif 000041
【図４０】
2010227701.tif 000042
【図４１】
2010227701.tif 000043
【図４２】
2010227701.tif 000044
【図４３】
2010227701.tif 000045
【図４４】
2010227701.tif 000046
【図４５】
2010227701.tif 000047
【図４６】
2010227701.tif 000048
【図４７】
2010227701.tif 000049
【図４８】
2010227701.tif 000050
【図４９】
2010227701.tif 000051
【図５０】
2010227701.tif 000052
【図５１】
2010227701.tif 000053
【図５２】
2010227701.tif 000054
【図５３】
2010227701.tif 000055
【図５４】
2010227701.tif 000056
【図５５】
2010227701.tif 000057
【図５６】
2010227701.tif 000058
【図５７】
2010227701.tif 000059
【図５８】
2010227701.tif 000060
【図５９】
2010227701.tif 000061
【図６０】
2010227701.tif 000062
【図６１】
2010227701.tif 000063
【図６２】
2010227701.tif 000064
【図６３】
2010227701.tif 000065
【図６４】
2010227701.tif 000066
【図６５】
2010227701.tif 000067
【図６６】
2010227701.tif 000068
【図６７】
2010227701.tif 000069
【図６８】
2010227701.tif 000070
【図６９】
2010227701.tif 000071
【図７０】
2010227701.tif 000072